(57)【要約】【課題】本明細書の一開示は、電力制御方法を提供する。【解決手段】方法は、第１のセル及び第２のセルとの二重接続（ｄｕａｌ  ｃｏｎｎｅｃｔｉｖｉｔｙ）が設定されたユーザ装置（ＵＥ）が上位階層シグナルを受信するステップを含む。ここで、上位階層シグナルは、二重接続のために使われる設定情報を含む。設定情報は、第１の設定と第２の設定のうちいずれか一つを含む。二重接続が設定されたユーザ装置（ＵＥ）は、第１のセルが含まれている第１のセルグループと第２のセルが含まれている第２のセルグループに各々接続される。ここで、各セルグループは、個別基地局（ｅＮｏｄｅＢ）に属する。方法は、第１の設定及び第２の設定のうちいずれか一つに基づいて、第１のセル及び第２のセルのうちいずれか一つ以上へのアップリンク送信に対する電力制御を実行するステップを含む。【選択図】図１０
2020022197.tif 000002
【特許請求の範囲】
【請求項１】
ユーザ装置（ＵＥ）により実行される電力を割り当てるための方法であって、
二重接続が設定された前記ユーザ装置（ＵＥ）が、第１のセルを含む第１のセルグループに第１のアップリンク送信に対する電力を割り当てるステップと、
第２のセルを含む第２のセルグループに第２のアップリンク送信に対する電力を割り当てるステップと、
前記第１のセルグループ及び前記第２のセルグループの前記割り当てられた電力の少なくとも一つに対する電力スケーリングを実行するステップと、を含み、
第１のサブフレームにおいて、前記第１のセルグループへの前記第１のアップリンク送信が、前記第２のセルグループへの前記第２のアップリンク送信と重複することの決定に基づいて、スケーリングダウンが実行され、
前記電力のスケーリングダウンは、ＰＵＣＣＨとＨＡＲＱ−ＡＣＫ／ＮＡＣＫ及びスケジューリング要求（ＳＲ）を含むＰＵＳＣＨとの少なくとも一つに対して実行される、方法。
【請求項２】
前記電力スケーリングは、ＳＲＳが送信されるか否に基づいて実行される、請求項１に記載の方法。
【請求項３】
前記電力スケーリングは、前記第１のセルグループがＭＣＧに対応し、前記第２のセルグループがＳＣＧに対応するか、または前記第１のセルグループが前記ＳＣＧに対応し、前記第２のセルグループが前記ＭＣＧに対応するかに基づいて実行される、請求項１に記載の方法。
【請求項４】
二重接続が設定された前記ユーザ装置（ＵＥ）が、前記二重接続のために使われる設定情報を含む上位階層シグナルを受信するステップをさらに含み、
前記設定情報は、第１の設定及び第２の設定のいずれか一つを含む、請求項１に記載の方法。
【請求項５】
前記電力は、ＰＲＡＣＨ、ＰＵＣＣＨ及びＰＵＳＣＨの順序で特定される優先度に基づいて割り当てられる、請求項１に記載の方法。
【請求項６】
電力を割り当てるためのユーザ装置（ＵＥ）であって、
二重接続が設定された受信部と、
第１のセルを含む第１のセルグループに第１のアップリンク送信に対する電力を割り当て、
第２のセルを含む第２のセルグループに第２のアップリンク送信に対する電力を割り当て、
前記第１のセルグループ及び前記第２のセルグループの前記割り当てられた電力の少なくとも一つに対する電力スケーリングを実行するよう構成されたプロセッサと、を含み、
第１のサブフレームにおいて、前記第１のセルグループへの前記第１のアップリンク送信が、前記第２のセルグループへの前記第２のアップリンク送信と重複することの決定に基づいて、スケーリングダウンが実行され、
前記電力のスケーリングダウンは、ＰＵＣＣＨとＨＡＲＱ−ＡＣＫ／ＮＡＣＫ及びスケジューリング要求（ＳＲ）を含むＰＵＳＣＨとの少なくとも一つに対して実行される、ユーザ装置。
【請求項７】
前記電力スケーリングは、ＳＲＳが送信されるか否に基づいて実行される、請求項６に記載のユーザ装置。
【請求項８】
前記電力スケーリングは、前記第１のセルグループがＭＣＧに対応し、前記第２のセルグループがＳＣＧに対応するか、または前記第１のセルグループが前記ＳＣＧに対応し、前記第２のセルグループが前記ＭＣＧに対応するかに基づいて実行される、請求項６に記載のユーザ装置。
【発明の詳細な説明】
【技術分野】
【０００１】
本発明は、移動通信に関する。
【背景技術】
【０００２】
ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の向上である３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（ｌｏｎｇ  ｔｅｒｍ  ｅｖｏｌｕｔｉｏｎ）は、３ＧＰＰリリース（ｒｅｌｅａｓｅ）８で紹介されている。３ＧＰＰ  ＬＴＥは、ダウンリンクでＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）を使用し、アップリンクでＳＣ−ＦＤＭＡ（Ｓｉｎｇｌｅ  Ｃａｒｒｉｅｒ−ｆｒｅｑｕｅｎｃｙ  ｄｉｖｉｓｉｏｎ  ｍｕｌｔｉｐｌｅ  ａｃｃｅｓｓ）を使用する。
【０００３】
このようなＬＴＥは、ＦＤＤ（ｆｒｅｑｕｅｎｃｙ  ｄｉｖｉｓｉｏｎ  ｄｕｐｌｅｘ）方式とＴＤＤ（ｔｉｍｅ  ｄｉｖｉｓｉｏｎ  ｄｕｐｌｅｘ）方式とに分けられる。
【０００４】
３ＧＰＰ  ＴＳ  ３６．２１１  Ｖ１０．４．０（２０１１−１２）「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  Ｃｈａｎｎｅｌｓ  ａｎｄ  Ｍｏｄｕｌａｔｉｏｎ（Ｒｅｌｅａｓｅ  １０）」に開示されているように、ＬＴＥにおいて、物理チャネルは、ダウンリンクチャネルであるＰＤＳＣＨ（Ｐｈｙｓｉｃａｌ  Ｄｏｗｎｌｉｎｋ  Ｓｈａｒｅｄ  Ｃｈａｎｎｅｌ）とＰＤＣＣＨ（Ｐｈｙｓｉｃａｌ  Ｄｏｗｎｌｉｎｋ  Ｃｏｎｔｒｏｌ  Ｃｈａｎｎｅｌ）、アップリンクチャネルであるＰＵＳＣＨ（Ｐｈｙｓｉｃａｌ  Ｕｐｌｉｎｋ  Ｓｈａｒｅｄ  Ｃｈａｎｎｅｌ）とＰＵＣＣＨ（Ｐｈｙｓｉｃａｌ  Ｕｐｌｉｎｋ  Ｃｏｎｔｒｏｌ  Ｃｈａｎｎｅｌ）に分けられる。
【０００５】
一方、益々増加するデータを処理するために、次世代移動通信システムでは、セルカバレッジ半径が小さい小規模セル（ｓｍａｌｌ  ｃｅｌｌ）が既存マクロセルのカバレッジ内に追加されることが予想され、小規模セルは、より多いトラフィックを処理することが予想される。
【０００６】
他方、端末は、マクロセルと小規模セルに二重接続（ｄｕａｌ  ｃｏｎｎｅｃｔｉｖｉｔｙ）することもできる。
【０００７】
しかし、このような二重接続状況を考慮した端末の電力制御方案がいままで研究されない問題点がある。
【発明の概要】
【発明が解決しようとする課題】
【０００８】
したがって、本明細書の開示は、前述した問題点を解決することを目的とする。
【課題を解決するための手段】
【０００９】
前述した目的を達成するために、本明細書の一開示は、ユーザ装置（Ｕｓｅｒ  Ｅｑｕｉｐｍｅｎｔ：ＵＥ）における電力制御を実行する方法を提供する。前記方法は、第１のセル及び第２のセルとの二重接続（ｄｕａｌ  ｃｏｎｎｅｃｔｉｖｉｔｙ）が設定されたユーザ装置（ＵＥ）が上位階層シグナルを受信するステップを含む。ここで、前記上位階層シグナルは、前記二重接続のために使われる設定情報を含む。前記設定情報は、第１の設定と第２の設定のうちいずれか一つを含む。前記二重接続が設定されたユーザ装置（ＵＥ）は、前記第１のセルが含まれている第１のセルグループと第２のセルが含まれている第２のセルグループに各々接続される。ここで、各セルグループは、個別基地局（ｅＮｏｄｅＢ）に属する。前記方法は、前記第１の設定及び第２の設定のうちいずれか一つに基づいて、第１のセル及び第２のセルのうちいずれか一つ以上へのアップリンク送信に対する電力制御を実行するステップを含む。
【００１０】
前述した目的を達成するために、本明細書の一開示は、電力制御を実行するユーザ装置（Ｕｓｅｒ  Ｅｑｕｉｐｍｅｎｔ：ＵＥ）を提供する。前記ユーザ装置は、第１のセル及び第２のセルとの二重接続（ｄｕａｌ  ｃｏｎｎｅｃｔｉｖｉｔｙ）が設定された状態で、上位階層シグナルを受信する受信部を含む。ここで、前記上位階層シグナルは、前記二重接続のために使われる設定情報を含み、前記設定情報は、第１の設定と第２の設定のうちいずれか一つを含む。ここで、前記二重接続によると、前記第１のセルが含まれている第１のセルグループと第２のセルが含まれている第２のセルグループに各々接続され、各セルグループは、個別基地局（ｅＮｏｄｅＢ）に属する。前記ユーザ装置は、前記第１の設定及び第２の設定のうちいずれか一つに基づいて、第１のセル及び第２のセルのうちいずれか一つ以上へのアップリンク送信に対する電力制御を実行するプロセッサを含む。
【００１１】
前記電力制御は、スケーリングダウン（ｓｃａｌｉｎｇ  ｄｏｗｎ）に該当する。
【００１２】
前記電力制御は、ＰＵＣＣＨ及びＰＵＳＣＨのうちいずれか一つ以上に対して実行される。
【００１３】
前記第１の設定による場合、前記ＰＵＣＣＨ及び前記ＰＵＳＣＨのうちいずれか一つ以上がＨＡＲＱ−ＡＣＫ／ＮＡＣＫまたはＳＲ（Ｓｃｈｅｄｕｌｉｎｇ  Ｒｅｑｕｅｓｔ）を含むかどうかによって前記電力制御が異なるように実行される。
【００１４】
前記第１の設定による場合、前記ＰＵＣＣＨ及び前記ＰＵＳＣＨのうちいずれか一つ以上がＵＣＩ（ｕｐｌｉｎｋ  ｃｏｎｔｒｏｌ  ｉｎｆｏｒｍａｔｉｏｎ）を含むかどうかによって前記電力制御が異なるように実行される。
【００１５】
前記第１の設定による場合、ＳＲＳ（Ｓｏｕｎｄｉｎｇ  Ｒｅｆｅｒｅｎｃｅ  Ｓｉｇｎａｌ）の送信可否によって前記電力制御が異なるように実行される。
【００１６】
前記第１の設定による場合、前記第１のセルが属するセルグループがＭＣＧ（Ｍａｓｔｅｒ  Ｃｅｌｌ  Ｇｒｏｕｐ）であり、第２のセルが属するセルグループがＳＣＧ（Ｓｅｃｏｎｄａｒｙ  Ｃｅｌｌ  Ｇｒｏｕｐ）であるか、または前記第１のセルが属するセルグループがＳＣＧであり、前記第２のセルが属するセルグループがＭＣＧであるか、によって前記電力制御が異なるように実行される。
【発明の効果】
【００１７】
本明細書の開示によると、前述した従来技術の問題点が解決される。
【図面の簡単な説明】
【００１８】
【図１】無線通信システムである。
【図２】３ＧＰＰ  ＬＴＥにおいて、ＦＤＤによる無線フレーム（ｒａｄｉｏ  ｆｒａｍｅ）の構造を示す。
【図３】３ＧＰＰ  ＬＴＥにおいて、一つのアップリンクまたはダウンリンクスロットに対するリソースグリッド（ｒｅｓｏｕｒｃｅ  ｇｒｉｄ）を示す例示図である。
【図４】ダウンリンクサブフレームの構造を示す。
【図５】３ＧＰＰ  ＬＴＥにおいて、アップリンクサブフレームの構造を示す。
【図６ａ】３ＧＰＰ  ＬＴＥにおいて、周期的なＣＳＩ報告の一例を示す。
【図６ｂ】３ＧＰＰ  ＬＴＥにおいて、非周期的なＣＳＩ報告の一例を示す。
【図６ｃ】ＰＵＣＣＨとＰＵＳＣＨの同時送信の一例を示す。
【図７】アップリンクサブフレーム上へのＰＵＣＣＨとＰＵＳＣＨを示す。
【図８】次世代無線通信システムになる可能性があるマクロセルと小規模セルの混合された異種ネットワークの環境を示す。
【図９ａ】マクロセルと小規模セルに対して可能な二重接続のシナリオを示す。
【図９ｂ】マクロセルと小規模セルに対して可能な二重接続のシナリオを示す。
【図１０】本明細書の第１の開示による一方案を示す例示図である。
【図１１ａ】ｅＮｏｄｅＢ間にサブフレーム同期が合わない状況で電力制御に対する一例を示す。
【図１１ｂ】ｅＮｏｄｅＢ間にサブフレーム同期が合わない状況で電力制御に対する一例を示す。
【図１１ｃ】ｅＮｏｄｅＢ間にサブフレーム同期が合わない状況で電力制御に対する一例を示す。
【図１１ｄ】ｅＮｏｄｅＢ間にサブフレーム同期が合わない状況で電力制御に対する一例を示す。
【図１１ｅ】ｅＮｏｄｅＢ間にサブフレーム同期が合わない状況で電力制御に対する一例を示す。
【図１２】本明細書の開示が具現される無線通信システムを示すブロック図である。
【発明を実施するための形態】
【００１９】
以下、３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（ｌｏｎｇ  ｔｅｒｍ  ｅｖｏｌｕｔｉｏｎ）または３ＧＰＰ  ＬＴＥ−Ａ（ＬＴＥ−Ａｄｖａｎｃｅｄ）に基づいて本発明が適用されることを記述する。これは例示に過ぎず、本発明は、多様な無線通信システムに適用されることができる。以下、ＬＴＥとは、ＬＴＥ及び/またはＬＴＥ−Ａを含む。
【００２０】
本明細書で使われる技術的用語は、単に特定の実施例を説明するために使われたものであり、本発明を限定するものではないことを留意しなければならない。また、本明細書で使われる技術的用語は、本明細書で特別に他の意味で定義されない限り、本発明が属する技術分野において、通常の知識を有する者により一般的に理解される意味で解釈されなければならず、過度に包括的な意味または過度に縮小された意味で解釈されてはならない。また、本明細書で使われる技術的な用語が本発明の思想を正確に表現することができない技術的用語である場合、当業者が正確に理解することができる技術的用語に変えて理解しなければならない。また、本発明で使われる一般的な用語は、辞書の定義によって、または前後の文脈によって解釈されなければならず、過度に縮小された意味で解釈されてはならない。
【００２１】
また、本明細書で使われる単数の表現は、文脈上、明白に異なる意味ではない限り、複数の表現を含む。本出願において、「構成される」または「含む」などの用語は、明細書上に記載された複数の構成要素、または複数のステップを必ず全部含むと解釈されてはならず、そのうち一部構成要素または一部ステップは含まないこともあり、または追加的な構成要素またはステップをさらに含むこともあると解釈されなければならない。
【００２２】
また、本明細書で使われる第１及び第２などのように序数を含む用語は、多様な構成要素の説明に使われることができるが、前記構成要素は、前記用語により限定されてはならない。前記用語は、一つの構成要素を他の構成要素から区別する目的としてのみ使われる。例えば、本発明の権利範囲を外れない限り、第１の構成要素は第２の構成要素と命名することができ、同様に、第２の構成要素も第１の構成要素と命名することができる。
【００２３】
一構成要素が他の構成要素に「連結されている」または「接続されている」と言及された場合、該当他の構成要素に直接的に連結されており、または接続されていることもあるが、中間に他の構成要素が存在することもある。それに対し、一構成要素が他の構成要素に「直接連結されている」または「直接接続されている」と言及された場合、中間に他の構成要素が存在しないと理解しなければならない。
【００２４】
以下、添付図面を参照して本発明による好ましい実施例を詳細に説明し、図面符号に関係なしに同じまたは類似の構成要素は同じ参照番号を付与し、これに対する重なる説明は省略する。また、本発明を説明するにあたって、関連した公知技術に対する具体的な説明が本発明の要旨を不明にすると判断される場合、その詳細な説明を省略する。また、添付図面は、本発明の思想を容易に理解することができるようにするためのものであり、添付図面により本発明の思想が制限されると解釈されてはならないことを留意しなければならない。本発明の思想は、添付図面外に全ての変更、均等物乃至代替物にまで拡張されると解釈されなければならない。
【００２５】
以下で使われる用語である基地局は、一般的に無線機器と通信する固定局（ｆｉｘｅｄ  ｓｔａｔｉｏｎ）を意味し、ｅＮｏｄｅＢ（ｅｖｏｌｖｅｄ−ＮｏｄｅＢ）、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）等、他の用語で呼ばれることもある。
【００２６】
また、以下で使われる用語であるＵＥ（Ｕｓｅｒ  Ｅｑｕｉｐｍｅｎｔ）は、固定されてもよいし、移動性を有してもよく、機器（Ｄｅｖｉｃｅ）、無線機器（Ｗｉｒｅｌｅｓｓ  Ｄｅｖｉｃｅ）、端末（Ｔｅｒｍｉｎａｌ）、ＭＳ（ｍｏｂｉｌｅ  ｓｔａｔｉｏｎ）、ＵＴ（ｕｓｅｒ  ｔｅｒｍｉｎａｌ）、ＳＳ（ｓｕｂｓｃｒｉｂｅｒ  ｓｔａｔｉｏｎ）、ＭＴ（ｍｏｂｉｌｅ  ｔｅｒｍｉｎａｌ）等、他の用語で呼ばれることもある。
【００２７】
図１を参照して分かるように、無線通信システムは、少なくとも一つの基地局（ｂａｓｅ  ｓｔａｔｉｏｎ、ＢＳ）２０を含む。各基地局２０は、特定の地理的領域（一般的にセルという）２０ａ、２０ｂ、２０ｃに対して通信サービスを提供する。
【００２８】
ＵＥは、通常的に、一つのセルに属し、ＵＥが属するセルをサービングセル（ｓｅｒｖｉｎｇ  ｃｅｌｌ）という。サービングセルに対して通信サービスを提供する基地局をサービング基地局（ｓｅｒｖｉｎｇ  ＢＳ）という。無線通信システムは、セルラーシステム（ｃｅｌｌｕｌａｒ  ｓｙｓｔｅｍ）であるため、サービングセルに隣接する他のセルが存在する。サービングセルに隣接する他のセルを隣接セル（ｎｅｉｇｈｂｏｒ  ｃｅｌｌ）という。隣接セルに対して通信サービスを提供する基地局を隣接基地局（ｎｅｉｇｈｂｏｒ  ＢＳ）という。サービングセル及び隣接セルは、ＵＥを基準にして相対的に決定される。
【００２９】
以下、ダウンリンクは、基地局２０からＵＥ１０への通信を意味し、アップリンクは、ＵＥ１０から基地局２０への通信を意味する。ダウンリンクにおいて、送信機は基地局２０の一部分であり、受信機はＵＥ１０の一部分である。アップリンクにおいて、送信機はＵＥ１０の一部分であり、受信機は基地局２０の一部分である。
【００３０】
以下、ＬＴＥシステムに対して、より詳細に説明する。
【００３１】
図２は、３ＧＰＰ  ＬＴＥにおいて、ＦＤＤによる無線フレーム（ｒａｄｉｏ  ｆｒａｍｅ）の構造を示す。
【００３２】
図２に示す無線フレームは、３ＧＰＰ  ＴＳ  ３６．２１１  Ｖ１０．４．０（２０１１−１２）「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  Ｃｈａｎｎｅｌｓ  ａｎｄ  Ｍｏｄｕｌａｔｉｏｎ（Ｒｅｌｅａｓｅ  １０）」の５節を参照することができる。
【００３３】
図２を参照すると、無線フレームは、１０個のサブフレーム（ｓｕｂｆｒａｍｅ）を含み、一つのサブフレームは、２個のスロット（ｓｌｏｔ）を含む。無線フレーム内のスロットは、０から１９までのスロット番号が付けられる。一つのサブフレームの送信にかかる時間を送信時間区間（Ｔｒａｎｓｍｉｓｓｉｏｎ  Ｔｉｍｅ  ｉｎｔｅｒｖａｌ：ＴＴＩ）という。ＴＴＩは、データ送信のためのスケジューリング単位である。例えば、一つの無線フレームの長さは１０ｍｓであり、一つのサブフレームの長さは１ｍｓであり、一つのスロットの長さは０．５ｍｓである。
【００３４】
無線フレームの構造は、例示に過ぎず、無線フレームに含まれるサブフレームの数またはサブフレームに含まれるスロットの数等は、多様に変更されることができる。
【００３５】
一方、一つのスロットは、複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含むことができる。一つのスロットに含まれるＯＦＤＭシンボルの数は、循環前置（ｃｙｃｌｉｃ  ｐｒｅｆｉｘ：ＣＰ）によって変わることができる。
【００３６】
図３は、３ＧＰＰ  ＬＴＥにおいて、一つのアップリンクまたはダウンリンクスロットに対するリソースグリッド（ｒｅｓｏｕｒｃｅ  ｇｒｉｄ）を示す例示図である。
【００３７】
図３を参照すると、アップリンクスロットは、時間領域（ｔｉｍｅ  ｄｏｍａｉｎ）で複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含み、周波数領域（ｆｒｅｑｕｅｎｃｙ  ｄｏｍａｉｎ）でＮRB個のリソースブロック（ＲＢ）を含む。例えば、ＬＴＥシステムにおいて、リソースブロック（Ｒｅｓｏｕｒｃｅ  Ｂｌｏｃｋ  ＲＢ）の個数、即ち、ＮRBは、６乃至１１０のうちいずれか一つである。ＲＢは、ＰＲＢ（Ｐｈｙｓｉｃａｌ  Ｒｅｓｏｕｒｃｅ  Ｂｌｏｃｋ）で呼ばれることもある。
【００３８】
リソースブロック（ｒｅｓｏｕｒｃｅ  ｂｌｏｃｋ：ＲＢ）は、リソース割当単位であり、一つのスロットで複数の副搬送波を含む。例えば、一つのスロットが時間領域で７個のＯＦＤＭシンボルを含み、リソースブロックが周波数領域で１２個の副搬送波を含む場合、一つのリソースブロックは、７×１２個のリソース要素（ｒｅｓｏｕｒｃｅ  ｅｌｅｍｅｎｔ：ＲＥ）を含むことができる。
【００３９】
一方、一つのＯＦＤＭシンボルにおける副搬送波の数は、１２８、２５６、５１２、１０２４、１５３６及び２０４８の中から一つを選定して使用することができる。
【００４０】
図４の３ＧＰＰ  ＬＴＥにおいて、一つのアップリンクスロットに対するリソースグリッドは、ダウンリンクスロットに対するリソースグリッドにも適用されることができる。
【００４１】
図４は、ダウンリンクサブフレームの構造を示す。
【００４２】
図４では、正規ＣＰを仮定し、例示的に一つのスロット内に７ＯＦＤＭシンボルが含むことを図示した。
【００４３】
ＤＬ（ｄｏｗｎｌｉｎｋ）サブフレームは、時間領域で制御領域（ｃｏｎｔｒｏｌ  ｒｅｇｉｏｎ）とデータ領域（ｄａｔａ  ｒｅｇｉｏｎ）とに分けられる。制御領域は、サブフレーム内の第１のスロットの前方部の最大３個のＯＦＤＭシンボルを含むが、制御領域に含まれるＯＦＤＭシンボルの個数は変わることができる。制御領域にはＰＤＣＣＨ（Ｐｈｙｓｉｃａｌ  Ｄｏｗｎｌｉｎｋ  Ｃｏｎｔｒｏｌ  Ｃｈａｎｎｅｌ）及び他の制御チャネルが割り当てられ、データ領域にはＰＤＳＣＨが割り当てられる。
【００４４】
３ＧＰＰ  ＬＴＥにおいて、物理チャネルは、データチャネルであるＰＤＳＣＨ（Ｐｈｙｓｉｃａｌ  Ｄｏｗｎｌｉｎｋ  Ｓｈａｒｅｄ  Ｃｈａｎｎｅｌ）、ＰＵＳＣＨ（Ｐｈｙｓｉｃａｌ  Ｕｐｌｉｎｋ  Ｓｈａｒｅｄ  Ｃｈａｎｎｅｌ）、及び制御チャネルであるＰＤＣＣＨ（Ｐｈｙｓｉｃａｌ  Ｄｏｗｎｌｉｎｋ  Ｃｏｎｔｒｏｌ  Ｃｈａｎｎｅｌ）、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）、ＰＵＣＣＨ（Ｐｈｙｓｉｃａｌ  Ｕｐｌｉｎｋ  Ｃｏｎｔｒｏｌ  Ｃｈａｎｎｅｌ）に分けられる。
【００４５】
サブフレームの１番目のＯＦＤＭシンボルで送信されるＰＣＦＩＣＨは、サブフレーム内で制御チャネルの送信に使われるＯＦＤＭシンボルの数（即ち、制御領域の大きさ）に対するＣＦＩ（ｃｏｎｔｒｏｌ  ｆｏｒｍａｔ  ｉｎｄｉｃａｔｏｒ）を伝送する。無線機器は、まず、ＰＣＦＩＣＨ上にＣＦＩを受信した後、ＰＤＣＣＨをモニタリングする。
【００４６】
ＰＤＣＣＨと違って、ＰＣＦＩＣＨは、ブラインドデコーディングを使用せずに、サブフレームの固定されたＰＣＦＩＣＨリソースを介して送信される。ＰＨＩＣＨは、ＵＬ  ＨＡＲＱ（ｈｙｂｒｉｄ  ａｕｔｏｍａｔｉｃ  ｒｅｐｅａｔ  ｒｅｑｕｅｓｔ）のためのＡＣＫ（ｐｏｓｉｔｉｖｅ−ａｃｋｎｏｗｌｅｄｇｅｍｅｎｔ）／ＮＡＣＫ（ｎｅｇａｔｉｖｅ−ａｃｋｎｏｗｌｅｄｇｅｍｅｎｔ）信号を伝送する。無線機器により送信されるＰＵＳＣＨ上のＵＬ（ｕｐｌｉｎｋ）データに対するＡＣＫ／ＮＡＣＫ信号は、ＰＨＩＣＨ上に送信される。
【００４７】
ＰＢＣＨ（Ｐｈｙｓｉｃａｌ  Ｂｒｏａｄｃａｓｔ  Ｃｈａｎｎｅｌ）は、無線フレームの１番目のサブフレームの第２のスロットの前方部の４個のＯＦＤＭシンボルで送信される。ＰＢＣＨは、無線機器が基地局と通信するときに必須なシステム情報を伝送し、ＰＢＣＨを介して送信されるシステム情報をＭＩＢ（ｍａｓｔｅｒ  ｉｎｆｏｒｍａｔｉｏｎ  ｂｌｏｃｋ）という。これと比較して、ＰＤＣＣＨにより指示されるＰＤＳＣＨ上に送信されるシステム情報をＳＩＢ（ｓｙｓｔｅｍ  ｉｎｆｏｒｍａｔｉｏｎ  ｂｌｏｃｋ）という。
【００４８】
ＰＤＣＣＨは、ＤＬ−ＳＣＨ（ｄｏｗｎｌｉｎｋ−ｓｈａｒｅｄ  ｃｈａｎｎｅｌ）のリソース割当及び送信フォーマット、ＵＬ−ＳＣＨ（ｕｐｌｉｎｋ  ｓｈａｒｅｄ  ｃｈａｎｎｅｌ）のリソース割当情報、ＰＣＨ上のページング情報、ＤＬ−ＳＣＨ上のシステム情報、ＰＤＳＣＨ上に送信されるランダムアクセス応答のような上位階層制御メッセージのリソース割当、任意のＵＥグループ内の個別ＵＥに対する送信パワー制御命令のセット及びＶｏＩＰ（ｖｏｉｃｅ  ｏｖｅｒ  ｉｎｔｅｒｎｅｔ  ｐｒｏｔｏｃｏｌ）の活性化などを伝送することができる。複数のＰＤＣＣＨが制御領域内で送信されることができ、ＵＥは、複数のＰＤＣＣＨをモニタリングすることができる。ＰＤＣＣＨは、一つまたは複数の連続的なＣＣＥ（ｃｏｎｔｒｏｌ  ｃｈａｎｎｅｌ  ｅｌｅｍｅｎｔｓ）のアグリゲーション（ａｇｇｒｅｇａｔｉｏｎ）上に送信される。ＣＣＥは、無線チャネルの状態による符号化率をＰＤＣＣＨに提供するために使われる論理的な割当単位である。ＣＣＥは、複数のリソース要素グループ（ｒｅｓｏｕｒｃｅ  ｅｌｅｍｅｎｔ  ｇｒｏｕｐ）に対応される。ＣＣＥの数とＣＣＥにより提供される符号化率の関係によって、ＰＤＣＣＨのフォーマット及び可能なＰＤＣＣＨのビット数が決定される。
【００４９】
ＰＤＣＣＨを介して送信される制御情報をダウンリンク制御情報（ｄｏｗｎｌｉｎｋ  ｃｏｎｔｒｏｌ  ｉｎｆｏｒｍａｔｉｏｎ：ＤＣＩ）という。ＤＣＩは、ＰＤＳＣＨのリソース割当（これをＤＬグラント（ｄｏｗｎｌｉｎｋ  ｇｒａｎｔ）ともいう）、ＰＵＳＣＨのリソース割当（これをＵＬグラント（ｕｐｌｉｎｋ  ｇｒａｎｔ）ともいう）、任意のＵＥグループ内の個別ＵＥに対する送信パワー制御命令のセット及び／またはＶｏＩＰ（Ｖｏｉｃｅ  ｏｖｅｒ  Ｉｎｔｅｒｎｅｔ  Ｐｒｏｔｏｃｏｌ）の活性化を含むことができる。
【００５０】
基地局は、ＵＥに送るＤＣＩによって、ＰＤＣＣＨフォーマットを決定し、制御情報にＣＲＣ（ｃｙｃｌｉｃ  ｒｅｄｕｎｄａｎｃｙ  ｃｈｅｃｋ）を付ける。ＣＲＣにはＰＤＣＣＨのオーナ（ｏｗｎｅｒ）や用途によって、固有な識別子（ｒａｄｉｏ  ｎｅｔｗｏｒｋ  ｔｅｍｐｏｒａｒｙ  ｉｄｅｎｔｉｆｉｅｒ：ＲＮＴＩ）がマスキングされる。特定ＵＥのためのＰＤＣＣＨの場合、ＵＥの固有識別子、例えば、Ｃ−ＲＮＴＩ（ｃｅｌｌ−ＲＮＴＩ）がＣＲＣにマスキングされることができる。または、ページングメッセージのためのＰＤＣＣＨの場合、ページング指示識別子、例えば、Ｐ−ＲＮＴＩ（ｐａｇｉｎｇ−ＲＮＴＩ）がＣＲＣにマスキングされることができる。システム情報ブロック（ｓｙｓｔｅｍ  ｉｎｆｏｒｍａｔｉｏｎ  ｂｌｏｃｋ：ＳＩＢ）のためのＰＤＣＣＨの場合、システム情報識別子、ＳＩ−ＲＮＴＩ（ｓｙｓｔｅｍ  ｉｎｆｏｒｍａｔｉｏｎ−ＲＮＴＩ）がＣＲＣにマスキングされることができる。ＵＥのランダムアクセスプリアンブルの送信に対する応答であるランダムアクセス応答を指示するためにＲＡ−ＲＮＴＩ（ｒａｎｄｏｍ  ａｃｃｅｓｓ−ＲＮＴＩ）がＣＲＣにマスキングされることができる。
【００５１】
３ＧＰＰ  ＬＴＥでは、ＰＤＣＣＨの検出のためにブラインド復号を使用する。ブラインド復号は、受信されるＰＤＣＣＨ（これを候補（ｃａｎｄｉｄａｔｅ）ＰＤＣＣＨという）のＣＲＣ（Ｃｙｃｌｉｃ  Ｒｅｄｕｎｄａｎｃｙ  Ｃｈｅｃｋ）に所望する識別子をデマスキングし、ＣＲＣエラーをチェックすることで、該当ＰＤＣＣＨが自分の制御チャネルかどうかを確認する方式である。基地局は、無線機器に送るＤＣＩによって、ＰＤＣＣＨフォーマットを決定した後、ＤＣＩにＣＲＣを付けて、ＰＤＣＣＨのオーナ（ｏｗｎｅｒ）や用途によって、固有な識別子（ＲＮＴＩ）をＣＲＣにマスキングする。
【００５２】
アップリンクチャネルは、ＰＵＳＣＨ、ＰＵＣＣＨ、ＳＲＳ（Ｓｏｕｎｄｉｎｇ  Ｒｅｆｅｒｅｎｃｅ  Ｓｉｇｎａｌ）、ＰＲＡＣＨ（Ｐｈｙｓｉｃａｌ  Ｒａｎｄｏｍ  Ａｃｃｅｓｓ  Ｃｈａｎｎｅｌ）を含む。
【００５３】
図５は、３ＧＰＰ  ＬＴＥにおいて、アップリンクサブフレームの構造を示す。
【００５４】
図５を参照すると、アップリンクサブフレームは、周波数領域で制御領域とデータ領域とに分けられる。制御領域には、アップリンク制御情報が送信されるためのＰＵＣＣＨ（Ｐｈｙｓｉｃａｌ  Ｕｐｌｉｎｋ  Ｃｏｎｔｒｏｌ  Ｃｈａｎｎｅｌ）が割り当てられる。データ領域には、データ（場合によって、制御情報も共に送信されることができる）が送信されるためのＰＵＳＣＨ（Ｐｈｙｓｉｃａｌ  Ｕｐｌｉｎｋ  Ｓｈａｒｅｄ  Ｃｈａｎｎｅｌ）が割り当てられる。
【００５５】
一つのＵＥに対するＰＵＣＣＨは、サブフレームでリソースブロック対（ＲＢ  ｐａｉｒ）で割り当てられる。リソースブロック対に属するリソースブロックは、第１のスロットと第２のスロットの各々で互いに異なる副搬送波を占める。ＰＵＣＣＨに割り当てられるリソースブロック対に属するリソースブロックが占める周波数は、スロット境界（ｓｌｏｔ  ｂｏｕｎｄａｒｙ）を基準にして変更される。これをＰＵＣＣＨに割り当てられるＲＢ対がスロット境界で周波数がホッピングされた（ｆｒｅｑｕｅｎｃｙ−ｈｏｐｐｅｄ）という。
【００５６】
ＵＥがアップリンク制御情報を時間によって互いに異なる副搬送波を介して送信することによって、周波数ダイバーシティ利得を得ることができる。ｍは、サブフレーム内でＰＵＣＣＨに割り当てられたリソースブロック対の論理的な周波数領域位置を示す位置インデックスである。
【００５７】
ＰＵＣＣＨ上に送信されるアップリンク制御情報には、ＨＡＲＱ（ｈｙｂｒｉｄ  ａｕｔｏｍａｔｉｃ  ｒｅｐｅａｔ  ｒｅｑｕｅｓｔ）ＡＣＫ（ａｃｋｎｏｗｌｅｄｇｅｍｅｎｔ）／ＮＡＣＫ（ｎｏｎ−ａｃｋｎｏｗｌｅｄｇｅｍｅｎｔ）、ダウンリンクチャネル状態を示すＣＱＩ（ｃｈａｎｎｅｌ  ｑｕａｌｉｔｙ  ｉｎｄｉｃａｔｏｒ）、アップリンク無線リソース割当要求であるＳＲ（ｓｃｈｅｄｕｌｉｎｇ  ｒｅｑｕｅｓｔ）などがある。
【００５８】
ＰＵＳＣＨは、トランスポートチャネル（ｔｒａｎｓｐｏｒｔ  ｃｈａｎｎｅｌ）であるＵＬ−ＳＣＨにマッピングされる。ＰＵＳＣＨ上に送信されるアップリンクデータは、ＴＴＩ中に送信されるＵＬ−ＳＣＨのためのデータブロックであるトランスポートブロック（ｔｒａｎｓｐｏｒｔ  ｂｌｏｃｋ）である。トランスポートブロックは、ユーザ情報である。または、アップリンクデータは、多重化された（ｍｕｌｔｉｐｌｅｘｅｄ）データである。多重化されたデータは、ＵＬ−ＳＣＨのためのトランスポートブロックと制御情報が多重化されたものである。例えば、データに多重化される制御情報には、ＣＱＩ、ＰＭＩ（ｐｒｅｃｏｄｉｎｇ  ｍａｔｒｉｘ  ｉｎｄｉｃａｔｏｒ）、ＨＡＲＱ、ＲＩ（ｒａｎｋ  ｉｎｄｉｃａｔｏｒ）などがある。または、アップリンクデータは、制御情報のみで構成されることもできる。
【００５９】
＜キャリアアグリゲーション（Ｃａｒｒｉｅｒ  Ａｇｇｒｅｇａｔｉｏｎ：ＣＡ）＞
以下、キャリアアグリゲーションシステムに対して説明する。
【００６０】
キャリアアグリゲーションシステムは、多数のコンポーネントキャリア（ｃｏｍｐｏｎｅｎｔ  ｃａｒｒｉｅｒ：ＣＣ）をアグリゲーションすることを意味する。このようなキャリアアグリゲーションにより、既存のセルの意味が変更された。キャリアアグリゲーションによると、セルとは、ダウンリンクコンポーネントキャリアとアップリンクコンポーネントキャリアの組合せ、または単独のダウンリンクコンポーネントキャリアを意味する。
【００６１】
また、キャリアアグリゲーションにおいて、セルは、プライマリセル（ｐｒｉｍａｒｙ  ｃｅｌｌ）、セカンダリセル（ｓｅｃｏｎｄａｒｙ  ｃｅｌｌ）、サービングセル（ｓｅｒｖｉｎｇ  ｃｅｌｌ）に区分されることができる。プライマリセルは、プライマリ周波数で動作するセルを意味し、ＵＥが基地局との最初接続確立過程（ｉｎｉｔｉａｌ  ｃｏｎｎｅｃｔｉｏｎ  ｅｓｔａｂｌｉｓｈｍｅｎｔ  ｐｒｏｃｅｄｕｒｅ）または接続再確立過程を実行するセル、またはハンドオーバ過程でプライマリセルとして指示されたセルを意味する。セカンダリセルは、セカンダリ周波数で動作するセルを意味し、ＲＲＣ接続が確立されると設定され、追加的な無線リソースの提供に使われる。
【００６２】
キャリアアグリゲーションシステムは、アグリゲーションされる搬送波が連続する連続（ｃｏｎｔｉｇｕｏｕｓ）キャリアアグリゲーションシステムと、アグリゲーションされる搬送波が互いに離れている不連続（ｎｏｎ−ｃｏｎｔｉｇｕｏｕｓ）キャリアアグリゲーションシステムとに区分されることができる。以下、単純にキャリアアグリゲーションシステムとする時、これはコンポーネントキャリアが連続する場合と不連続する場合の両方とも含むと理解しなければならない。ダウンリンクとアップリンクとの間にアグリゲーションされるコンポーネントキャリアの数は、異なるように設定されることができる。ダウンリンクＣＣ数とアップリンクＣＣ数が同じ場合を対称的（ｓｙｍｍｅｔｒｉｃ）アグリゲーションといい、その数が異なる場合を非対称的（ａｓｙｍｍｅｔｒｉｃ）アグリゲーションという。
【００６３】
１個以上のコンポーネントキャリアをアグリゲーションする時、対象となるコンポーネントキャリアは、既存システムとの下位互換性（ｂａｃｋｗａｒｄ  ｃｏｍｐａｔｉｂｉｌｉｔｙ）のために、既存システムで使用する帯域幅をそのまま使用することができる。例えば、３ＧＰＰ  ＬＴＥシステムでは、１．４ＭＨｚ、３ＭＨｚ、５ＭＨｚ、１０ＭＨｚ、１５ＭＨｚ及び２０ＭＨｚの帯域幅をサポートし、３ＧＰＰ  ＬＴＥ−Ａシステムでは、３ＧＰＰ  ＬＴＥシステムの帯域幅のみを利用して２０ＭＨｚ以上の広帯域を構成することができる。または、既存システムの帯域幅をそのまま使用せずに、新しい帯域幅を定義して広帯域を構成することもできる。
【００６４】
一方、キャリアアグリゲーションにおいて、特定セカンダリセルを介してパケット（ｐａｃｋｅｔ）データの送受信が行われるためには、ＵＥは、まず、特定セカンダリセルに対して設定（ｃｏｎｆｉｇｕｒａｔｉｏｎ）を完了しなければならない。ここで、設定（ｃｏｎｆｉｇｕｒａｔｉｏｎ）とは、該当セルに対するデータ送受信に必要なシステム情報受信を完了した状態を意味する。例えば、設定（ｃｏｎｆｉｇｕｒａｔｉｏｎ）は、データ送受信に必要な共通物理階層パラメータ、またはＭＡＣ（ｍｅｄｉａ  ａｃｃｅｓｓ  ｃｏｎｔｒｏｌ）階層パラメータ、またはＲＲＣ階層で特定動作に必要なパラメータを受信する全般の過程を含むことができる。設定完了したセルは、パケットデータが送信されることができるという情報のみを受信すると、直ちにパケットの送受信が可能になる状態である。
【００６５】
設定完了状態のセルは、活性化（Ａｃｔｉｖａｔｉｏｎ）または非活性化（Ｄｅａｃｔｉｖａｔｉｏｎ）状態に存在できる。ここで、活性化は、データの送信または受信が行なわれ、またはレディー状態（ｒｅａｄｙ  ｓｔａｔｅ）にあることを意味する。ＵＥは、自分に割り当てられたリソース（周波数、時間など）を確認するために、活性化されたセルの制御チャネル（ＰＤＣＣＨ）及びデータチャネル（ＰＤＳＣＨ）をモニタリングまたは受信することができる。
【００６６】
非活性化は、トラフィックデータの送信または受信が不可能であり、測定や最小情報の送信／受信が可能であることを意味する。ＵＥは、非活性化セルからパケット受信のために必要なシステム情報（ＳＩ）を受信することができる。それに対して、ＵＥは、自分に割り当てられたリソース（周波数、時間など）を確認するために、非活性化されたセルの制御チャネル（ＰＤＣＣＨ）及びデータチャネル（ＰＤＳＣＨ）をモニタリングまたは受信しない。
【００６７】
＜アップリンク制御情報（ＵＣＩ）の送信＞
ＰＵＣＣＨ上にはアップリンク制御情報（ｕｐｌｉｎｋ  ｃｏｎｔｒｏｌ  ｉｎｆｏｒｍａｔｉｏｎ：ＵＣＩ）が送信されることができる。このとき、ＰＵＣＣＨは、フォーマット（ｆｏｒｍａｔ）によって多様な種類の制御情報を伝送する。ＵＣＩは、ＨＡＲＱ  ＡＣＫ／ＮＡＣＫ、ＳＲ（Ｓｃｈｅｄｕｌｉｎｇ  Ｒｅｑｕｅｓｔ）、そしてダウンリンクチャネル状態を示すチャネル状態情報（Ｃｈａｎｎｅｌ  Ｓｔａｔｅ  Ｉｎｆｏｒｍａｔｉｏｎ：ＣＳＩ）を含む。
【００６８】
以下、ＣＳＩの周期的な送信と非周期的な送信に対して説明する。
【００６９】
ＣＳＩは、ＤＬチャネルの状態を示す指標であり、ＣＱＩ（Ｃｈａｎｎｅｌ  Ｑｕａｌｉｔｙ  Ｉｎｄｉｃａｔｏｒ）及びＰＭＩ（Ｐｒｅｃｏｄｉｎｇ  Ｍａｔｒｉｘ  Ｉｎｄｉｃａｔｏｒ）のうち少なくともいずれか一つを含むことができる。また、ＰＴＩ（ｐｒｅｃｏｄｉｎｇ  ｔｙｐｅ  ｉｎｄｉｃａｔｏｒ）、ＲＩ（ｒａｎｋ  ｉｎｄｉｃａｔｉｏｎ）などが含まれることもできる。
【００７０】
ＣＱＩは、与えられた時間に対して端末がサポートできるリンク適応的なパラメータに対する情報を提供する。ＣＱＩは、多様な方法により生成できる。例えば、チャネル状態をそのまま量子化してフィードバックする方法、ＳＩＮＲ（ｓｉｇｎａｌ  ｔｏ  ｉｎｔｅｒｆｅｒｅｎｃｅ  ｐｌｕｓ  ｎｏｉｓｅ  ｒａｔｉｏ）を計算してフィードバックする方法、ＭＣＳ（Ｍｏｄｕｌａｔｉｏｎ  Ｃｏｄｉｎｇ  Ｓｃｈｅｍｅ）のようにチャネルに実際適用される状態を知らせる方法などがある。ＣＱＩがＭＣＳに基づいて生成される場合、ＭＣＳは、変調方式と符号化方式及びこれによる符号化率（ｃｏｄｉｎｇ  ｒａｔｅ）等を含むようになる。この場合、基地局は、ＣＱＩを利用してダウンリンクチャネルに適用される変調、例えば、ｍ−ＰＳＫ（ｍ−Ｐｈａｓｅ  Ｓｈｉｆｔ  Ｋｅｙｉｎｇ）またはｍ−ＱＡＭ（ｍ−Ｑｕａｄｒａｔｕｒｅ  Ａｍｐｌｉｔｕｄｅ  Ｍｏｄｕｌａｔｉｏｎ）及びコーディング率を決定することができる。以下の表は、ＣＱＩインデックスによる変調方式、コードレート（ｃｏｄｅｒａｔｅ）、そして効率を示す。以下の表に示すＣＱＩインデックスは、４ビットで表現されることができる。
【表１】
2020022197.tif 000003
【００７１】
ＰＭＩは、コードブックベースのプリコーディングでプリコーディング行列に対する情報を提供する。ＰＭＩは、ＭＩＭＯ（ｍｕｌｔｉｐｌｅ  ｉｎｐｕｔ  ｍｕｌｔｉｐｌｅ  ｏｕｔｐｕｔ）と関連している。ＭＩＭＯでＰＭＩがフィードバックされることを閉ループＭＩＭＯ（ｃｌｏｓｅｄ  ｌｏｏｐ  ＭＩＭＯ）という。
【００７２】
ＲＩは、端末が推薦するレイヤの数に対する情報である。即ち、ＲＩは、空間多重化に使われる独立的なストリームの数を示す。ＲＩは、端末が空間多重化を使用するＭＩＭＯモードで動作する場合にのみフィードバックされる。ＲＩは、常に一つ以上のＣＱＩフィードバックと関連している。即ち、フィードバックされるＣＱＩは、特定のＲＩ値を仮定して計算される。チャネルのランク（ｒａｎｋ）は、一般的にＣＱＩより遅く変化するため、ＲＩは、ＣＱＩより少ない回数でフィードバックされる。ＲＩの送信周期は、ＣＱＩ／ＰＭＩ送信周期の倍数である。ＲＩは、全体システム帯域に対して与えられ、周波数選択的なＲＩフィードバックはサポートされない。
【００７３】
図６ａは、３ＧＰＰ  ＬＴＥにおいて、周期的なＣＳＩ報告の一例を示す。
【００７４】
図６ａを参照して分かるように、ＣＳＩは、上位階層で定めた周期によって周期的にＰＵＣＣＨ６２１を介して送信されることができる。即ち、周期的な（ｐｅｒｉｏｄｉｃ）チャネル状態情報（ＣＳＩ）は、ＰＵＣＣＨを介して送信されることができる。
【００７５】
端末は、ＰＵＣＣＨを介して周期的に差分（ｄｉｆｆｅｒｅｎｔｉａｌ）ＣＳＩ（ＣＱＩ、ＰＭＩ、ＲＩ）をフィードバックするように、上位階層信号により半静的に設定されることができる。このとき、端末は、以下の表のように定義されたモードによって該当ＣＳＩを送信する。
【表２】
2020022197.tif 000004
【００７６】
前述した各送信モード別に以下のようなＰＵＣＣＨでの周期的なＣＳＩリポーティングモードがサポートされる。
【表３】
2020022197.tif 000005
【００７７】
一方、ＣＳＩリポートの衝突とは、第１のＣＳＩを送信するように設定されたサブフレームと第２のＣＳＩを送信するように設定されたサブフレームが同じ場合を意味する。ＣＳＩリポートの衝突が発生する場合、第１のＣＳＩと第２のＣＳＩを同時に送信し、または第１のＣＳＩと第２のＣＳＩの優先順位（ｐｒｉｏｒｉｔｙ）によって、優先順位が低いＣＳＩの送信を欠落（または、ドロップ）（ｄｒｏｐ）し、優先順位が高いＣＳＩを送信することができる。
【００７８】
ＰＵＣＣＨを介したＣＳＩリポートは、ＣＱＩ／ＰＭＩ／ＲＩの送信組合せによって、下記のように多様なリポートタイプが存在でき、各リポートタイプ（以下、タイプと略称）によって区分される周期及びオフセット値がサポートされる。
【００７９】
タイプ１：端末が選択したサブバンドに対するＣＱＩフィードバックをサポートする。
タイプ１ａ：サブバンドＣＱＩ及び第２のＰＭＩフィードバックをサポートする。
タイプ２、２ｂ、２ｃ：広帯域ＣＱＩとＰＭＩフィードバックをサポートする。
タイプ２ａ：広帯域ＰＭＩフィードバックをサポートする。
タイプ３：ＲＩフィードバックをサポートする。
タイプ４：広帯域ＣＱＩを送信する。
タイプ５：ＲＩと広帯域ＰＭＩフィードバックをサポートする。
タイプ６：ＲＩとＰＴＩフィードバックをサポートする。
【００８０】
以下、ＣＳＩの非周期的な送信に対して説明する。
【００８１】
図６ｂは、３ＧＰＰ  ＬＴＥにおいて、非周期的なＣＳＩ報告の一例を示す。
【００８２】
ＰＤＣＣＨ６１２に送信されるＰＵＳＣＨに対するスケジューリング制御信号、即ち、ＵＬグラントにはＣＳＩを送信するように要求する制御信号、即ち、非周期的なＣＳＩ要求信号が含まれることができる。この場合、端末は、ＰＵＳＣＨ６３２を介して非周期的にＣＳＩをリポーティングする。このように、ＰＵＳＣＨ上のＣＳＩ送信は、基地局の要求によりトリガ（ｔｒｉｇｇｅｒ）される点で非周期的（ａｐｅｒｉｏｄｉｃ）なＣＳＩ報告という。ＣＳＩ報告は、ＵＬグラントまたはランダムアクセス応答グラントによりトリガリングされることができる。
【００８３】
より具体的に、無線機器は、サブフレームｎでＰＤＣＣＨ６１２にＰＵＳＣＨ６３２に対するスケジューリング情報を含むＵＬグラントを受信する。ＵＬグラントは、ＣＱＩ要求フィールドが含まれることができる。以下の表は、２ビットのＣＱＩ要求フィールドの一例を示す。ＣＱＩ要求フィールドの値やビット数は、例示に過ぎない。
【表４】
2020022197.tif 000006
【００８４】
ＣＳＩ報告がトリガされる第１及び第２のセットに対する情報は、基地局が無線機器にあらかじめ知らせることができる。
【００８５】
ＣＳＩ報告がトリガされると、サブフレームｎ＋ｋで、無線機器は、ＣＳＩをＰＵＳＣＨ６２０上に送信する。ここで、ｋ＝４であるが、これは例示に過ぎない。
【００８６】
ＣＳＩの報告モード（報告ｍｏｄｅ）は、基地局が無線機器にあらかじめ指定できる。
【００８７】
以下の表は、３ＧＰＰ  ＬＴＥにおいて、ＣＳＩ報告モードの一例を示す。
【表５】
2020022197.tif 000007
【００８８】
（１）モード１−２（Ｍｏｄｅ１−２）
各サブバンド（サブバンド）に対してＤＬデータが該当サブバンドのみを介して送信されるという仮定下にプリコーディング行列を選択する。無線機器は、システム帯域または上位階層信号により指定された帯域（これを帯域セットＳという）全体に対して選択したプリコーディング行列を仮定し、ＣＱＩ（これを広帯域（ｗｉｄｅｂａｎｄ）ＣＱＩという）を生成する。
【００８９】
無線機器は、広帯域ＣＱＩと各サブバンドのＰＭＩを含むＣＳＩを送信する。このとき、各サブバンドの大きさは、システム帯域の大きさによって変わることができる。
【００９０】
（２）モード２−０
無線機器は、システム帯域または上位階層信号により指定された帯域（帯域セットＳ）に対して選好するＭ個のサブバンドを選択する。無線機器は、選択されたＭ個のサブバンドでデータが送信されたという仮定下に、サブバンドＣＱＩを生成する。無線機器は、追加にシステム帯域または帯域セットＳに対して一つの広帯域ＣＱＩを生成する。
【００９１】
無線機器は、選択されたＭ個のサブバンドに対する情報、サブバンドＣＱＩ、広帯域ＣＱＩを含むＣＳＩを送信する。
【００９２】
（３）モード２−２
無線機器は、Ｍ個の選好するサブバンドを介してＤＬデータを送信するという仮定下に、Ｍ個の選好サブバンドとＭ個の選好サブバンドに対する単一プリコーディング行列を選択する。
【００９３】
Ｍ個の選好サブバンドに対するサブバンドＣＱＩは、コードワード毎に定義される。追加にシステム帯域または帯域セットＳに対して広帯域ＣＱＩを生成する。
【００９４】
無線機器は、Ｍ個の選好するサブバンド、一つのサブバンドＣＱＩ、Ｍ個の選好するサブバンドに対するＰＭＩ、広帯域ＰＭＩ及び広帯域ＣＱＩを含むＣＳＩを送信する。
【００９５】
（４）モード３−０
無線機器は、広帯域ＣＱＩと設定されたサブバンドに対するサブバンドＣＱＩを含むＣＳＩを送信する。
【００９６】
（５）モード３−１
無線機器は、システム帯域または帯域セットＳに対して単一プリコーディング行列を生成する。無線機器は、生成した単一プリコーディング行列を仮定し、コードワード別にサブバンドＣＱＩを生成する。無線機器は、単一プリコーディング行列を仮定し、広帯域ＣＱＩを生成することができる。
【００９７】
以下、ＰＵＣＣＨとＰＵＳＣＨの同時送信に対して説明する。
【００９８】
３ＧＰＰリリース（Ｒｅｌｅａｓｅ）８またはリリース９システムでは、ＵＥがアップリンク送信にＳＣ−ＦＤＭＡ方式を使用する時、単一搬送波特性を維持するために、一つの搬送波上でＰＵＣＣＨとＰＵＳＣＨを同時に送信できないようにした。
【００９９】
しかし、３ＧＰＰリリース（Ｒｅｌｅａｓｅ）１０システムでは、ＰＵＣＣＨとＰＵＳＣＨの同時送信サポート可否が上位階層で指示されることができる。即ち、上位階層の指示によって、端末は、ＰＵＣＣＨとＰＵＳＣＨを同時に送信することもでき、ＰＵＣＣＨとＰＵＳＣＨのうちいずれか一つのみを送信することもできる。
【０１００】
図６ｃは、ＰＵＣＣＨとＰＵＳＣＨの同時送信の一例を示す。
【０１０１】
図６ｃを参照して分かるように、ＵＥは、サブフレームｎでＰＤＣＣＨ６１３を受信する。
【０１０２】
そして、ＵＥは、例えば、サブフレームｎ＋４でＰＵＣＣＨ６２３とＰＵＳＣＨ６３３を同時送信することができる。
【０１０３】
前記のようなＰＵＣＣＨとＰＵＳＣＨの同時送信に対して、３ＧＰＰリリース（Ｒｅｌｅａｓｅ）１０システムでは下記のように定義する。
【０１０４】
ＵＥが単独サービングセルのためにのみ設定され、ＰＵＳＣＨとＰＵＣＣＨの同時送信はしないように設定された場合を仮定する。このとき、ＵＥがＰＵＳＣＨを送信しない場合、ＵＣＩは、ＰＵＣＣＨフォーマット１／１ａ／１ｂ／３を介して送信されることができる。もし、ＵＥがＰＵＳＣＨを送信し、ＰＵＳＣＨがランダムアクセス応答グラント（Ｒａｎｄｏｍ  Ａｃｃｅｓｓ  Ｒｅｓｐｏｎｓｅ  Ｇｒａｎｔ）に該当するものではない場合、ＵＣＩは、ＰＵＳＣＨを介して送信されることができる。
【０１０５】
前記と違って、ＵＥが単独サービングセルのためにのみ設定され、ＰＵＳＣＨとＰＵＣＣＨを同時送信するように設定された場合を仮定する。このとき、ＵＣＩがＨＡＲＱ−ＡＣＫとＳＲのみからなる場合、ＵＣＩは、ＰＵＣＣＨフォーマット１／１ａ／１ｂ／３を介してＰＵＣＣＨを介して送信されることができる。しかし、ＵＣＩが周期的なＣＳＩのみからなる場合、ＵＣＩは、ＰＵＣＣＨフォーマット２を介してＰＵＣＣＨ上で送信されることができる。または、ＵＣＩが周期的なＣＳＩとＨＡＲＱ−ＡＣＫで構成され、ＵＥがＰＵＳＣＨを送信しない場合、ＵＣＩは、ＰＵＣＣＨフォーマット２／２ａ／２ｂを介してＰＵＣＣＨ上に送信されることができる。または、ＵＣＩがＨＡＲＱ−ＡＣＫ／ＮＡＣＫのみからなり、またはＵＣＩがＨＡＲＱ−ＡＣＫ／ＮＡＣＫとＳＲからなり、またはＵＣＩが肯定ＳＲと周期的／非周期的なＣＳＩからなり、またはＵＣＩが非周期的なＣＳＩのみからなる場合、ＨＡＲＱ−ＡＣＫ／ＮＡＣＫ、ＳＲ、肯定ＳＲは、ＰＵＣＣＨに送信され、周期的／非周期的なＣＳＩは、ＰＵＳＣＨを介して送信されることができる。
【０１０６】
また、前記と違って、ＵＥが一つ以上のサービングセルのために設定され、ＰＵＳＣＨとＰＵＣＣＨの同時送信はしないように設定された場合を仮定する。このとき、ＵＥがＰＵＳＣＨを送信しない場合、ＵＣＩは、ＰＵＣＣＨフォーマット１／１ａ／１ｂ／３によってＰＵＣＣＨ上に送信されることができる。しかし、ＵＣＩが非周期的なＣＳＩからなり、または非周期的なＵＣＩとＨＡＲＱ−ＡＣＫからなる場合、ＵＣＩは、サービングセルのＰＵＳＣＨを介して送信されることもできる。または、ＵＣＩが周期的なＣＳＩとＨＡＲＱ−ＡＣＫ／ＮＡＣＫからなり、ＵＥが１次セルのサブフレームｎでＰＵＳＣＨを送信しない場合、ＵＣＩは、ＰＵＳＣＨ上で送信されることができる。
【０１０７】
また、前記と違って、ＵＥが一つ以上のサービングセルのために設定され、ＰＵＳＣＨとＰＵＣＣＨを同時送信するように設定された場合を仮定する。このとき、ＵＣＩがＨＡＲＱ−ＡＣＫとＳＲのうち一つ以上からなる場合、ＵＣＩは、ＰＵＣＣＨフォーマット１／１ａ／１ｂ／３を介してＰＵＣＣＨ上で送信されることができる。しかし、ＵＣＩが周期的なＣＳＩのみからなる場合、ＵＣＩは、ＰＵＣＣＨフォーマット２を利用してＰＵＣＣＨ上に送信されることができる。または、ＵＣＩが周期的なＣＳＩとＨＡＲＱ−ＡＣＫ／ＮＡＣＫからなり、ＵＥがＰＵＳＣＨを送信しない場合、一部条件によっては、ＣＳＩは送信されずに欠落（ｄｒｏｐ）（または、ドロップ）されることができる。または、ＵＣＩがＨＡＲＱ−ＡＣＫ／ＮＡＣＫと周期的なＣＳＩに送信され、ＵＥがＰＵＳＣＨを１次セルのサブフレーム上で送信する場合、ＨＡＲＱ−ＡＣＫ／ＮＡＣＫは、ＰＵＣＣＨフォーマット１ａ／１ｂ／３を利用してＰＵＣＣＨ上で送信されることができ、周期的なＣＳＩは、ＰＵＳＣＨ上で送信されることができる。
【０１０８】
図７は、アップリンクサブフレーム上へのＰＵＣＣＨとＰＵＳＣＨを示す。
【０１０９】
図７を参照してＰＵＣＣＨフォーマット（ＰＵＣＣＨ  ｆｏｒｍａｔ）に対して説明する。
【０１１０】
ＰＵＣＣＨフォーマット１は、スケジューリング要求（ＳＲ；Ｓｃｈｅｄｕｌｉｎｇ  Ｒｅｑｕｅｓｔ）を伝送する。このとき、ＯＯＫ（Ｏｎ−Ｏｆｆ  Ｋｅｙｉｎｇ）方式が適用されることができる。ＰＵＣＣＨフォーマット１ａは、一つのコードワード（ｃｏｄｅｗｏｒｄ）に対してＢＰＳＫ（Ｂｉｎａｒｙ  Ｐｈａｓｅ  Ｓｈｉｆｔ  Ｋｅｙｉｎｇ）方式に変調されたＡＣＫ／ＮＡＣＫ（Ａｃｋｎｏｗｌｅｄｇｅｍｅｎｔ／Ｎｏｎ−Ａｃｋｎｏｗｌｅｄｇｅｍｅｎｔ）を伝送する。ＰＵＣＣＨフォーマット１ｂは、２個のコードワードに対してＱＰＳＫ（Ｑｕａｄｒａｔｕｒｅ  Ｐｈａｓｅ  Ｓｈｉｆｔ  Ｋｅｙｉｎｇ）方式に変調されたＡＣＫ／ＮＡＣＫを伝送する。ＰＵＣＣＨフォーマット２は、ＱＰＳＫ方式に変調されたＣＱＩ（Ｃｈａｎｎｅｌ  Ｑｕａｌｉｔｙ  Ｉｎｄｉｃａｔｏｒ）を伝送する。ＰＵＣＣＨフォーマット２ａと２ｂは、ＣＱＩとＡＣＫ／ＮＡＣＫを伝送する。
【０１１１】
以下の表は、ＰＵＣＣＨフォーマットを示す。
【表６】
2020022197.tif 000008
【０１１２】
各ＰＵＣＣＨフォーマットは、ＰＵＣＣＨ領域にマッピングされて送信される。例えば、ＰＵＣＣＨフォーマット２／２ａ／２ｂは、端末に割り当てられた帯域エッジのリソースブロック（図６において、ｍ＝０、１）にマッピングされて送信される。混合ＰＵＣＣＨリソースブロック（ｍｉｘｅｄ  ＰＵＣＣＨ  ＲＢ）は、ＰＵＣＣＨフォーマット２／２ａ／２ｂが割り当てられるリソースブロックに帯域の中心方向に隣接したリソースブロック（例えば、ｍ＝２）にマッピングされて送信されることができる。ＳＲ、ＡＣＫ／ＮＡＣＫが送信されるＰＵＣＣＨフォーマット１／１ａ／１ｂは、ｍ＝４またはｍ＝５であるリソースブロックに配置されることができる。ＣＱＩが送信されるＰＵＣＣＨフォーマット２／２ａ／２ｂに使われることができるリソースブロックの数（Ｎ（２）ＲＢ）は、ブロードキャスティングされる信号を介して端末に指示されることができる。
【０１１３】
一方、ＰＵＳＣＨは、トランスポートチャネル（ｔｒａｎｓｐｏｒｔ  ｃｈａｎｎｅｌ）であるＵＬ−ＳＣＨ（Ｕｐｌｉｎｋ  Ｓｈａｒｅｄ  Ｃｈａｎｎｅｌ）にマッピングされる。ＰＵＳＣＨ上に送信されるアップリンクデータは、ＴＴＩ中に送信されるＵＬ−ＳＣＨのためのデータブロックであるトランスポートブロック（ｔｒａｎｓｐｏｒｔ  ｂｌｏｃｋ）である。トランスポートブロックは、ユーザデータを含むことができる。または、アップリンクデータは、多重化された（ｍｕｌｔｉｐｌｅｘｅｄ）データである。多重化されたデータは、ＵＬ−ＳＣＨ（ｕｐｌｉｎｋ  ｓｈａｒｅｄ  ｃｈａｎｎｅｌ）のためのトランスポートブロックとチャネル状態情報が多重化されたものである。例えば、データに多重化されるチャネル状態情報（ＣＳＩ）には、ＣＱＩ、ＰＭＩ、ＲＩなどがある。または、アップリンクデータは、チャネル状態情報のみで構成されることもできる。周期的または非周期的なチャネル状態情報は、ＰＵＳＣＨを介して送信されることができる。
【０１１４】
ＰＵＳＣＨは、ＰＤＣＣＨ上のＵＬグラントにより割り当てられる。図面には示されていないが、ノーマルＣＰの各スロットの４番目のＯＦＤＭシンボルは、ＰＵＳＣＨのためのＤＭＲＳ（Ｄｅｍｏｄｕａｌｔｉｏｎ  Ｒｅｆｅｒｅｎｃｅ  Ｓｉｇｎａｌ）の送信に使われる。
【０１１５】
＜小規模セル（ｓｍａｌｌ  ｃｅｌｌ）の導入＞
一方、次世代移動通信システムでは、セルカバレッジ半径が小さい小規模セル（ｓｍａｌｌ  ｃｅｌｌ）が既存セルのカバレッジ内に追加されることが予想され、小規模セルは、より多いトラフィックを処理することが予想される。既存セルは、小規模セルに比べてカバレッジが大きいため、マクロセル（Ｍａｃｒｏ  ｃｅｌｌ）とも呼ばれる。以下、図１０を参照して説明する。
【０１１６】
図８は、次世代無線通信システムになる可能性があるマクロセルと小規模セルの混合された異種ネットワークの環境を示す。
【０１１７】
図８を参照すると、既存基地局２００によるマクロセルは、一つ以上の小規模基地局３００ａ、３００ｂ、３００ｃ、３００ｄによる小規模セルと重なった異種ネットワーク環境が示されている。既存基地局は、小規模基地局に比べて大きいカバレッジを提供するため、マクロ基地局（Ｍａｃｒｏ  ｅＮｏｄｅＢ、ＭｅＮＢ）とも呼ばれる。本明細書では、マクロセルとマクロ基地局という用語を混用して使用する。マクロセル２００に接続されたＵＥは、マクロＵＥ（Ｍａｃｒｏ  ＵＥ）と呼ばれる。マクロＵＥは、マクロ基地局からダウンリンク信号を受信し、マクロ基地局にアップリンク信号を送信する。
【０１１８】
このような異種ネットワークでは、マクロセルをプライマリセル（Ｐｃｅｌｌ）に設定し、小規模セルをセカンダリセル（Ｓｃｅｌｌ）に設定することによって、マクロセルのカバレッジ隙間を補うことができる。また、小規模セルをプライマリセル（Ｐｃｅｌｌ）に設定し、マクロセルをセカンダリセル（Ｓｃｅｌｌ）に設定することによって、全体的な性能を向上（ｂｏｏｓｔｉｎｇ）させることができる。
【０１１９】
一方、小規模セルは、現在ＬＴＥ／ＬＴＥ−Ａに配分された周波数帯域を使用したり、またはより高い周波数帯域（例えば、３．５ＧＨｚ以上の帯域）を使用したりすることもできる。
【０１２０】
他方、今後ＬＴＥ−Ａシステムでは、小規模セルは、独立的に使われることができずに、マクロセルのアシスト下に使われることができるマクロセル−アシスト小規模セル（ｍａｃｒｏ−ａｓｓｉｓｔｅｄ  ｓｍａｌｌ  ｃｅｌｌ）としてのみ使用することも考慮している。
【０１２１】
このような小規模セル３００ａ、３００ｂ、３００ｃ、３００ｄは、互いに類似するチャネル環境を有することができ、互いに近接した距離に位置するため、小規模セル間の干渉が大きい問題になることができる。
【０１２２】
このような干渉影響を減らすために、小規模セル３００ｂ、３００ｃは、自分のカバレッジを拡張したり縮小したりすることができる。このように、カバレッジの拡張及び縮小をセルブリージング（ｃｅｌｌ  ｂｒｅａｔｈｉｎｇ）という。例えば、図示されたように、小規模セル３００ｂ、３００ｃは、状況によって、オン（ｏｎ）またはオフ（ｏｆｆ）されることができる。
【０１２３】
他方、小規模セルは、現在ＬＴＥ／ＬＴＥ−Ａに配分された周波数帯域を使用したり、またはより高い周波数帯域（例えば、３．５ＧＨｚ以上の帯域）を使用したりすることもできる。
【０１２４】
一方、ＵＥは、マクロセルと小規模セルに二重接続（ｄｕａｌ  ｃｏｎｎｅｃｔｉｖｉｔｙ）することもできる。二重接続（ｄｕａｌ  ｃｏｎｎｅｃｔｉｖｉｔｙ）が可能なシナリオを図９ａ乃至図９ｄに示す。
【０１２５】
図９ａ及び図９ｂは、マクロセルと小規模セルに対して可能な二重接続のシナリオを示す。
【０１２６】
図９ａに示すように、ＵＥは、マクロセルを制御平面（Ｃｏｎｔｒｏｌ−ｐｌａｎｅ：以下、「Ｃ−ｐｌａｎｅ」という）で設定を受け、小規模セルをユーザ平面（Ｕｓｅｒ−ｐｌａｎｅ：以下、「Ｕ−ｐｌａｎｅ」という）で設定を受けることができる。
【０１２７】
または、図９ｂに示すように、ＵＥは、小規模セルをＣ−ｐｌａｎｅで設定を受け、マクロセルをＵ−ｐｌａｎｅで設定を受けることができる。本明細書では、便宜のために、Ｃ−Ｐｌａｎｅのセルを「Ｃ−Ｃｅｌｌ」といい、Ｕ−Ｐｌａｎｅのセルを「Ｕ−Ｃｅｌｌ」という。
【０１２８】
ここで、言及したＣ−Ｐｌａｎｅとは、ＲＲＣ接続設定及び再設定、ＲＲＣアイドルモード、ハンドオーバを含む移動性、セル選択、再選択、ＨＡＲＱプロセス、キャリアアグリゲーション（ＣＡ）の設定及び再設定、ＲＲＣ設定のための必要な手順、ランダムアクセス手順などをサポートすることを意味する。そして、言及したＵ−Ｐｌａｎｅとは、アプリケーションのデータ処理、ＣＳＩ報告、アプリケーションデータに対するＨＡＲＱプロセス、マルチキャスティング／ブロードキャスティングサービスなどをサポートすることを意味する。
【０１２９】
ＵＥの観点で、Ｃ−ｐｌａｎｅ及びＵ−ｐｌｎｅの設定は、次の通りである。Ｃ−Ｃｅｌｌは、プライマリセルに設定され、Ｕ−Ｃｅｌｌは、セカンダリセルに設定されることができる。または、逆に、Ｕ−Ｃｅｌｌは、プライマリセルに設定され、Ｃ−Ｃｅｌｌは、セカンダリセルに設定されることができる。または、Ｃ−Ｃｅｌｌは、別途に特別に処理し、Ｕ−Ｃｅｌｌは、プライマリセルに設定されることもできる。または、Ｃ−Ｐｌａｎｅ及びＵ−Ｃｅｌｌの両方とも、プライマリセルに設定されることができる。ただし、本明細書において、説明の便宜上、Ｃ−Ｃｅｌｌは、プライマリセルに設定され、Ｕ−Ｃｅｌｌは、セカンダリセルに設定されると仮定して以下説明する。
【０１３０】
一方、ＵＥ１００が短い距離を頻繁に移動する状況では、ハンドオーバが過度に頻繁に発生できるため、これを防止するために、ＵＥは、マクロセルをＣ−ｃｅｌｌまたはプライマリセルとして設定を受け、小規模セルをＵ−ｃｅｌｌまたはセカンダリセルとして設定を受けることが有利である。
【０１３１】
このような理由で、マクロセルは、ＵＥのプライマリセルであって、ＵＥと常に連結している。
【０１３２】
一方、図９ａ及び図９ｂでは、ＵＥがマクロセルのｅＮｏｄｅＢと小規模セルのｅＮｏｄｅＢと二重接続されていることを示すが、これに限定されるものではない。例えば、ＵＥは、第１の小規模セル（または、第１の小規模セルのグループ）のための第１のｅＮｏｄｅＢと第２の小規模セル（または、第２の小規模セルのグループ）のための第２のｅＮｏｄｅＢに二重接続されていることもある。
【０１３３】
前記のような全ての例を考慮する時、プライマリセル（Ｐｃｅｌｌ）のためのｅＮｏｄｅＢをマスタ（Ｍａｓｔｅｒ）ｅＮｏｄｅＢ（以下、ＭｅＮＢという）ということができる。そして、セカンダリセル（Ｓｃｅｌｌ）のみのためのｅＮｏｄｅＢをセカンダリ（Ｓｅｃｏｎｄａｒｙ）ｅＮｏｄｅＢ（以下、ＳｅＮＢという）ということができる。
【０１３４】
ＭｅＮＢによるプライマリセル（Ｐｃｅｌｌ）を含むセルグループをマスタセルグループ（Ｍａｓｔｅｒ  Ｃｅｌｌ  Ｇｒｏｕｐ：ＭＣＧ）ということができ、ＳｅＮＢによるセカンダリセル（Ｓｃｅｌｌ）を含むセルグループをセカンダリセルグループ（Ｓｅｃｏｎｄａｒｙ  Ｃｅｌｌ  Ｇｒｏｕｐ：ＳＣＧ）ということができる。
【０１３５】
一方、以上で説明したように、次期システムでは、ＵＥが地理的位置が互いに異なる複数のセルまたはセルグループと制御信号／データを送受信する状況を考慮することができる。例えば、ＵＥは、ＲＲＣ接続と音声を処理するプライマリセルを含むＭＣＧとデータ処理の増大のための小規模セルを含むＳＣＧに同時に連結された形態を考慮することができる。このとき、地理的位置が互いに異なる複数のセルまたはセルグループ間にはスケジューリング情報が動的（ｄｙｎａｍｉｃ）に共有されずに、スケジューリングが独立的に実行されることができる。このとき、ＵＥは、各該当セルにＵＣＩを独立的に送信することを考慮することができる。即ち、ＵＥは、ＭＣＧのためのＵＣＩをＭｅＮＢに送信し、ＳＣＧのためのＵＣＩをＳｅＮＢに送信することを考慮することができる。
【０１３６】
しかし、ＭｅＮＢに対するＵＣＩを含むＰＵＣＣＨ／ＰＵＳＣＨが送信されるサブフレームとＳｅＮＢに対するＵＣＩを含むＰＵＣＣＨ／ＰＵＳＣＨが送信されるサブフレームが一部重なる場合、問題が発生できる。
【０１３７】
そのような問題状況に対して、既存システムでは、ＵＥの最大送信電力Ｐｃｍａｘによって、全体または一部のアップリンクチャネルの最終送信電力に対してスケーリングダウン（ｓｃａｌｉｎｇ  ｄｏｗｎ）した。減少の対象となるチャネルを定める基準は、チャネルの種類、セルインデックスなどが考慮された優先順位規則（ｐｒｉｏｒｉｔｙ  ｒｕｌｅ）に従うようになった。一例として、任意セルにＰＵＣＣＨとＰＵＳＣＨがいずれか一つのサブフレーム上で同時送信される状況では、既存システムによると、Ｐｃｍａｘによって、ＰＵＣＣＨ、ＵＣＩを含むＰＵＳＣＨ、残りのＰＵＳＣＨの順序に電力割当及びスケーリングダウンされた。また、既存システムによると、ＵＥの同時送信性能によってまたは上位階層（ｈｉｇｈ  ｌａｙｅｒ）からの同時送信関連パラメータ設定によっても、一部アップリンクチャネルがドロップ（ｄｒｏｐ）される場合もあり、このとき、優先順位規則によって該当チャネルを選択するようになった。一例として、ＨＡＲＱ−ＡＣＫとＣＳＩが同時送信されるように設定された場合、ＨＡＲＱ−ＡＣＫとＣＳＩが同じサブフレームで衝突する時、ＣＳＩはドロップ（ｄｒｏｐ）された。
【０１３８】
しかし、前述したように、次期システムでは、ＵＣＩをセルグループ毎に別途に送信できるようになり、一部セルグループのみがＲＲＣ接続設定を担当するようになって、優先順位規則が変更される必要がある。以下、本明細書の開示に対して説明する。
【０１３９】
＜本明細書の第１の開示＞
本明細書の第１の開示は、複数の優先順位規則（または、モード）を設定して適用する方案を提示する。
【０１４０】
二重接続（Ｄｕａｌ−ｃｏｎｎｅｃｔｉｖｉｔｙ）状況で、プライマリセル（ＰＣｅｌｌ）（例えば、マクロセル）は、セカンダリセル（ＳＣｅｌｌ）（例えば、小規模セル）と差別点として、ＲＲＣ接続設定及び再設定を担当し、音声通話を担当することができる。前記において、ＲＲＣ接続設定及び再設定を担当するという意味は、ＲＲＣ接続を設定または変更する過程で送信されることができる（Ｅ）ＰＤＣＣＨ、ＰＤＳＣＨ、ＰＵＳＣＨなどが該当プライマリセル（ＰＣｅｌｌ）（例えば、マクロセル）を介してのみ送信されるという意味で解釈できる。また、音声通信を担当するということは、ＶｏＬＴＥ（Ｖｏｉｃｅ  ｏｖｅｒ  ＬＴＥ）をサポートするための目的としてＤＬ  ＳＰＳ  ＰＤＳＣＨとＵＬ  ＳＰＳ  ＰＵＳＣＨなどの組合せがプライマリセル（ＰＣｅｌｌ）（例えば、マクロセル）を介してのみ送信されるという意味で解釈できる。このような場合、ＨＡＲＱ−ＡＣＫ、ＣＳＩ、ＳＲなどを含むＵＣＩは、プライマリセル（ＰＣｅｌｌ）（例えば、マクロセル）に対応される場合がセカンダリセル（ＳＣｅｌｌ）（例えば、小規模セル）に対応される場合より重要に考慮することができ、二重接続（ｄｕａｌ−ｃｏｎｎｅｃｔｉｖｉｔｙ）に対する優先順位規則設定時にも考慮することができる。しかし、セカンダリセル（ＳＣｅｌｌ）（例えば、小規模セル）がデータ処理の増大（ｄａｔａ  ｂｏｏｓｔｉｎｇ）を目的として運用される場合であるとしても、ＵＣＩ（ＨＡＲＱ−ＡＣＫ、ＣＳＩ等）の制限（例えば、ドロップまたは電力スケーリングダウン）は、性能を低下したり効率を落ちたりすることができる。それによって、サブフレームまたはサブフレームの区間別に優先順位規則を独立的に（互いに異なるように）設定して適用することを考慮することができる。より具体的な方式に、セルは、第の１優先順位規則（または、第１のモード）と第２の優先順位規則（または、第２のモード）を設定し、各優先順位規則（または、モード）が適用されるサブフレームまたはサブフレーム区間を上位階層シグナルを介してＵＥに設定できる。ＵＥは、サブフレームまたはサブフレーム区間に適用される優先順位規則（または、モード）の設定を受けない場合、基本的（ｄｅｆａｕｌｔ）に一つの優先順位規則（または、モード）を適用することができる。これに対して図面を参照してより詳細に説明すると、下記の通りである。
【０１４１】
図１０は、本明細書の第１の開示による一方案を示す例示図である。
【０１４２】
図１０を参照して分かるように、ＵＥ１００は、第１のセル及び第２のセルと二重接続（ｄｕａｌ  ｃｏｎｎｅｃｔｉｖｉｔｙ）を有している。このような状況でＵＥ１００は、第１のセルから上位階層シグナルを受信する。上位階層シグナルは、第１の設定及び第２の設定のうちいずれか一つを含む。ここで、第１の設定は、第１の優先順位規則（または、第１のモード）を意味し、第２の設定は、第２の優先順位規則（または、第２のモード）を意味する。
【０１４３】
その後、ＵＥ１００は、第１の設定または第２の設定に基づいて電力スケーリングを実行し、電力に基づいてアップリンク送信を実行する。
【０１４４】
活用に対する一例として、プライマリセル（ＰＣｅｌｌ）（例えば、マクロセル）の優先順位を高く設定する第２の優先順位規則（または、第２のモード）を適用する区間では、ＲＲＣ設定や音声通話を実行することによって該当作業に対する性能を最大化し、セカンダリセル（ＳＣｅｌｌ）（例えば、小規模セル）の優先順位を高く設定する第１の優先順位規則（または、第１のモード）を適用する区間では、ＦＴＰなどのようなデータ通信を実行することによってデータ処理増大を最大化する等の作業を実行することができる。前記において、ＵＥの基本動作は、ＲＲＣ設定初期設定に焦点を合わせることができるように、プライマリセル（ＰＣｅｌｌ）（例えば、マクロセル）の優先順位を高く設定する第２の優先順位規則（または、第２のモード）を従うことができる。
【０１４５】
以下、具体的な方案に対して説明する。
【０１４６】
１．第１の優先順位規則（または、第１のモード）設定方法及び適用方法
基本的に、無条件的にプライマリセル（ＰＣｅｌｌ）（例えば、マクロセル）またはプライマリセルを含むセルグループ（例えば、ＭＣＧ）に対する優先順位を高く設定するものではなく、その他の要因（例えば、ＵＣＩタイプ、パワーレベル、チャネルの種類、ＵＣＩサイズ、フレーム構造タイプ、ＣＰ長さ等）を基準にして優先順位を設定することができる。このような優先順位が同じ状況では、追加的に、セルに対する情報、例えば、セルインデックス、該当セルのｅＮｏｄｅＢのタイプ（例えば、マクロセルのｅＮｏｄｅＢまたは小規模セルのｅＮｏｄｅＢ）、ＰＵＣＣＨ送信が可能なセルに該当するかどうかなどによって、優先順位を設定することを考慮することができる。
【０１４７】
一例として、トランスポートチャネル（ＰＵＣＣＨまたはＰＵＳＣＨ）に関係なしにＵＣＩタイプによって、優先順位が設定されることができる。より具体的な方式に、ＨＡＲＱ−ＡＣＫ、ＳＲ、非周期的なＣＳＩ、非周期的なＳＲＳ、周期的なＣＳＩ、周期的なＳＲＳの順序に高い優先順位を有するように設定されることができる。このとき、ＵＣＩが複数の組合せで構成された場合には、優先順位が最も高いものを基準にして電力スケーリング（ｐｏｗｅｒ  ｓｃａｌｉｎｇ）及びドロップ可否が決定されるようにする。一例として、ＨＡＲＱ−ＡＣＫと周期的なＣＳＩが同時送信される状況では、最も優先順位が高いＨＡＲＱ−ＡＣＫを基準にして電力スケーリング及びドロップ可否が決定されることができる。より特徴的に、ＨＡＲＱ−ＡＣＫがＣＳＳ（ｃｏｍｍｏｎ  ｓｅａｒｃｈ  ｓｐａｃｅ）に対応される場合には、その他のＨＡＲＱ−ＡＣＫまたはＰＲＡＣＨより高い優先順位を有するように設定することもできる。ＣＳＳに対応されるＨＡＲＱ−ＡＣＫは、プライマリセル（ＰＣｅｌｌ）に対するものと限定できる。
【０１４８】
列挙した優先順位規則で特徴的にＳＰＳ  ＰＵＳＣＨの優先順位を高く設定することもでき、これに対する具体的な例は、下記の通りである。
【０１４９】
第１の例示として、ＣＳＩを含むＰＵＣＣＨ／ＰＵＳＣＨ＜ＳＰＳ  ＰＵＳＣＨ＜＝ＨＡＲＱ−ＡＣＫ及び／またはＳＲを含むＰＵＣＣＨ／ＰＵＳＣＨの順に優先順位が設定されることもできる。
【０１５０】
第２の例示として、ＳＰＳ  ＰＵＳＣＨ＝ＣＳＩを含むＰＵＣＣＨ／ＰＵＳＣＨ。
【０１５１】
第３の例示として、ＳＰＳ  ＰＵＳＣＨ＝非周期的なＣＳＩを含むＰＵＳＣＨ。
【０１５２】
ＳＰＳ  ＰＵＳＣＨは、ＳＰＳ  ＰＵＳＣＨが音声通信の用途として使われることができる場合（一部実際使用しない場合も含む）であり、または特定セルに限定してＳＰＳが設定される場合である。
【０１５３】
以後に同じ優先順位によってはセルに対する情報を基準にして細部優先順位を設定することができ、次は、セルに対する情報による優先順位規則の具体的な例である。下記の例示において、スーパーセカンダリセル（Ｓｕｐｅｒ  ＳＣｅｌｌ）は、セカンダリセルグループ（ＳＣＧ）内のセカンダリセルのうちＵＣＩ送信またはＰＵＣＣＨを受信するセカンダリセル（ＳＣｅｌｌ）を指示することができる。スーパーセカンダリセル（Ｓｕｐｅｒ  ＳＣｅｌｌ）は、ＰＳＣｅｌｌともいう。これは、小規模ｅＮｏｄｅＢに対応されることができる。そして、セカンダリセルグループ（ＳＣＧ）は、スーパーセカンダリセル（例えば、小規模ｅＮｏｄｅＢ）でキャリアアグリゲーション（ＣＡ）されるセルのセットを意味し、プライマリセルグループ（ＰＣｅｌｌ  ｇｒｏｕｐ）は、プライマリセルと、プライマリセルを提供するｅＮｏｄｅＢでキャリアアグリゲーションされるセルのセットを意味する。プライマリセルグループ（ＰＣｅｌｌ  ｇｒｏｕｐ）は、マスタセルグループ（ＭＣＧ）とも呼ばれる。同じｅＮｏｄｅＢによりキャリアアグリゲーションされるセル間には理想的なバックホール（ｉｄｅａｌ−ｂａｃｋｈａｕｌ）を仮定することができ、互いに異なるｅＮｏｄｅＢに対応されるセル間には理想的なバックホールを期待することができない。
【０１５４】
第１の例示的な優先順位として、プライマリセル（ＰＣｅｌｌ）＞スーパーセカンダリセル（または、ＰＳＣｅｌｌ）＞セカンダリセルグループ（ＳＣＧ）に対応するセカンダリセル（例えば、小規模ｅＮｏｄｅＢのセカンダリセル）＞＝プライマリセルグループ（または、ＭＣＧ）に対応するセカンダリセル（例えば、Ｍａｃｒｏ  ｅＮｏｄｅＢのセカンダリセル）。
【０１５５】
第２の例示的な優先順位として、プライマリセル（ＰＣｅｌｌ）＞スーパーセカンダリセル（または、ＰＳＣｅｌｌ）＞プライマリセルグループ（または、ＭＣＧ）に対応するセカンダリセル（例えば、Ｍａｃｒｏ  ｅＮｏｄｅＢのセカンダリセル）＞＝ＳＣＧに対応するセカンダリセル（例えば、小規模ｅＮｏｄｅＢのセカンダリセル）。
【０１５６】
第３の例示的な優先順位として、プライマリセル（ＰＣｅｌｌ）＞プライマリセルグループ（または、ＭＣＧ）に対応するセカンダリセル＞スーパーセカンダリセル（または、ＰＳＣｅｌｌ）＞ＳＣＧに対応するセカンダリセル（例えば、小規模ｅＮｏｄｅＢのセカンダリセル）
【０１５７】
第１の優先順位規則（または、第１のモード）設定において、ＭＣＧ（または、ＭｅＮＢ、またはＰＣｅｌｌ）の一部物理チャネルに対する優先順位を高く設定するために特定の状況または条件に対する例外事項を追加に考慮することができる。第１の優先順位規則（または、第１のモード）を参照する時、次の状況でＭＣＧの全体または一部のチャネルの優先順位をＳＣＧより高く設定できる。一例として、ＳＣＧを介してＨＡＲＱ−ＡＣＫを含むＰＵＣＣＨが送信中であり、ＭＣＧを介してはＵＣＩを含まないＰＵＳＣＨが送信中であるとしても、下記に列挙された例示的な状況ではＭＣＧに対するＰＵＳＣＨがＳＣＧに対するＨＡＲＱ−ＡＣＫ  ＰＵＣＣＨより高い優先順位に設定されることができる。
【０１５８】
第１の例示的な状況として、ＭＣＧに対応されるチャネル（例えば、ＰＵＳＣＨ）に対するＵＬグラントを含むＰＤＣＣＨがＣＳＳで送信される状況を挙げることができる。ここで、ＣＳＳでＰＤＣＣＨが送信されるとは、共通（ｃｏｍｍｏｎ）Ｃ−ＲＮＴＩでスクランブリングされたＰＤＣＣＨが送信されることを意味し、またはＰＤＣＣＨの物理リソースマッピング位置がＣＳＳであることを意味する。ＭＣＧに対応されるチャネルがＰＵＣＣＨである場合（特に、ＨＡＲＱ−ＡＣＫ）には該当ＰＵＣＣＨのＵＣＩに対応されるＰＤＣＣＨがＣＳＳに対応される場合も含むことができる。
【０１５９】
第２の例示的な状況として、ＭＣＧに対応されるチャネル（例えば、ＰＵＳＣＨ）対する電力スケーリング（ｐｏｗｅｒ  ｓｃａｌｉｎｇ）を実行する時にあらかじめまたは上位階層で設定した最小電力の値以下に設定される状況を挙げることができる。このとき、ＳＣＧに対するＰＵＣＣＨは、ドロップ（ｄｒｏｐ）され、または電力スケーリングされ、ＭＣＧに対するＰＵＳＣＨは、ＳＣＧに対するＰＵＣＣＨより高い優先順位に設定されることができる。
【０１６０】
第３の例示的な状況として、ＭＣＧに対応されるチャネル（例えば、ＰＵＳＣＨ）に対するアップリンクグラントの送信形態によって、優先順位を再設定する状況を挙げることができる。ここで、アップリンクグラントの送信形態とは、スクランブリングシーケンスまたはＣＲＣマスキングまたは新しいフィールドに対する特定値または既存フィールドの一部値の特定組合せによって区分されることができる。
【０１６１】
第４の例示的な状況として、ＳＣＧに対応されるチャネル（例えば、ＰＵＣＣＨ）に対する最小パワーがあらかじめ決められ、または上位階層シグナルによって決められる場合、該当ＳＣＧに対するチャネルの電力が最小電力値以下または未満の時にＭＣＧに対するチャネルの優先順位を高く設定する。
【０１６２】
２．第２の優先順位規則（または、第２のモード）設定方法及び適用方法
基本的に、プライマリセル（ＰＣｅｌｌ）またはプライマリセルグループ（即ち、ＭＣＧ）に対する優先順位を最も高く設定する。ただし、プライマリセル（ＰＣｅｌｌ）またはプライマリセルグループ（即ち、ＭＣＧ）に対するＳＲＳは除外することができる。この場合、ＵＥで複数のセルに対するアップリンクチャネルの送信がＰｃｍａｘ以上の電力を要求すると、プライマリセル（ＰＣｅｌｌ）またはプライマリセルグループ（即ち、ＭＣＧ）に対するチャネルに対しては電力スケーリング（例えば、スケーリングダウン）をしない。この時のチャネルは、次のチャネルは該当しない：ＳＲＳ、ＵＣＩを含まないでランダムアクセス応答（ＲＡＲ）内のグラントまたはランダムアクセス手順に対する再送信に対応されないＰＵＳＣＨ。その理由は、ＲＲＣ設定及び再設定または音声通信のような重要な通信を保護するためである。または、プライマリセル（ＰＣｅｌｌ）またはプライマリセルグループ（即ち、ＭＣＧ）に対する優先順位を最も高く設定する場合、電力スケーリングされないチャネルは、ＰＲＡＣＨ／ＰＵＣＣＨ／ＳＰＳ  ＰＵＳＣＨである。即ち、プライマリセル（Ｐｃｅｌｌ）またはプライマリセルグループ（即ち、ＭＣＧ）にＰＲＡＣＨ、ＰＵＣＣＨ、またはＳＰＳ  ＰＵＳＣＨを送信する場合にのみ該当チャネルに優先順位をおき、残りは、第１の優先順位規則（または、第１のモード）を適用することができる。この場合、優先順位をおくとする場合、電力スケーリング（ｐｏｗｅｒ  ｓｃａｌｉｎｇ）をしない場合を仮定することもできる。以後には残りのセルに対して第１の優先順位規則（または、第１のモード）によって動作する場合を考慮することができる。前述したように、優先順位が最も高く設定されるセルがプライマリセルグループ（即ち、ＭＣＧ）内のプライマリセルに限定される場合、プライマリセルグループ（即ち、ＭＣＧ）の残りのセルに対しては第１の優先順位規則（または、第１のモード）が適用されることもできる。追加的に、類似の方式に、プライマリセル（Ｐｃｅｌｌ）またはプライマリセルグループ（即ち、ＭＣＧ）の代りにスーパーセカンダリセル（Ｓｕｐｅｒ  ＳＣｅｌｌ）またはＰＳＣｅｌｌに対する優先順位を（常にまたは特定ＵＣＩまたはｃｈａｎｎｅｌに対して）最も高く設定する第３の優先順位を考慮することもできる。
【０１６３】
より具体的に、セルグループ間の電力スケーリングまたはチャネルの送信ドロップ（ｄｒｏｐ）可否を決定する時、下記の優先順位セットに基づいて実行することができる。このとき、各セット別に電力スケーリング（ｐｏｗｅｒ  ｓｃａｌｉｎｇ）可否とＭｅＮＢに対する優先順位を高く設定するかどうかを決定することができる。
【０１６４】
セット０：ＰＲＡＣＨ
セット１：ＳＲ、ＨＡＲＱ−ＡＣＫ
セット２：非周期的なＣＳＩ、周期的なＣＳＩ
セット３：ＳＰＳ  ＰＵＳＣＨ
セット４：ＰＵＳＣＨ  ｗｉｔｈｏｕｔ  ＵＣＩ（ＵＬ−ＳＣＨ）
セット５：ＳＲＳ
セット６：Ｄ２Ｄチャネルら
【０１６５】
セットのインデックスによって低いインデックスであるほど優先順位が高いと仮定することができる。または、セット０とセット１を同じ優先順位として考慮したり、セット２とセット３を同じ優先順位として考慮したり、セット１とセット２を同じ優先順位として考慮したり、セット１とセット２とセット３を同じ優先順位として考慮することもできる。セット１の場合、より細分化することで、ＳＲがＨＡＲＱ−ＡＣＫより高い優先順位を有することを考慮することもできる。ＳＲは、肯定（ｐｏｓｉｔｉｖｅ）ＳＲである場合に限定できる。一例として、ＵＥは、ＭＣＧに対してＰＵＣＣＨフォーマット３を利用してＨＡＲＱ−ＡＣＫのみを送信し、ＳＣＧに対してＰＵＣＣＨフォーマットを介してＨＡＲＱ−ＡＣＫとＳＲを送信する時、肯定（ｐｏｓｉｔｉｖｅ）ＳＲである場合には、ＳＣＧに優先順位を高く設定し、否定（ｎｅｇａｔｉｖｅ）ＳＲである場合には、ＭＣＧに優先順位を高く設定することを考慮することができる。ＳＲがＰＵＣＣＨフォーマット１／１ａ／１ｂを介して送信される時、否定ＳＲである場合、ＰＵＣＣＨが送信されない、またはＨＡＲＱ−ＡＣＫリソースを介して送信されるため、ＳＲが送信されないと解釈することもできる。前記において、｛セット０、セット１｝または｛セット０、セット１、セット２｝または｛セット０、セット１、セット２、セット３｝の組合せに対しては電力スケーリング（ｐｏｗｅｒ  ｓｃａｌｉｎｇ）をしない。このとき、割り当てる電力が足りない場合、ＵＥが該当チャネルの送信をドロップ（ｄｒｏｐ）することを考慮することができる。このように該当チャネルの送信をドロップすることによって、電力が余るようになると、残った電力を次の優先順位を有するチャネルに割り当てることを考慮することもでき、使用しないことを考慮することもできる。基本的に、互いに異なるセルグループ（ＭＣＧ、ＳＣＧ）が同じセットに該当する場合または同じ優先順位セットに該当する場合には、ＭＣＧまたはプライマリセル（ＰＣｅｌｌ）に対する優先順位を高く設定できる。前記において、｛セット２、セット３、セット４、セット５｝または｛セット２、セット３、セット４｝または｛セット４、セット５｝または｛セット４｝の組合せに対しては、簡単な動作のために電力スケーリング（ｐｏｗｅｒ  ｓｃａｌｉｎｇ）時に区分無しで各セット別に同等（ｅｑｕａｌ）にまたは加重値（ｗｅｉｇｈｔ）を与えて適用することを考慮することもできる。ここで、加重値は、セットまたは優先順位セットのグループによってあらかじめ指定され、または上位階層で設定することと限定することができる。セット５に該当するチャネルがセット５を除外した残りのチャネルと衝突時に、セット５に該当するチャネルの送信は、ドロップ（ｄｒｏｐ）されることを考慮することができる。以後の過程は、Ｒｅｌ−１１原則によって電力スケーリング（ｐｏｗｅｒ  ｓｃａｌｉｎｇ）が実行されたり、該当チャネルの送信がドロップされたりすることができる。
【０１６６】
例えば、セット１とセット２が同じ優先順位と仮定すると、下記のような優先順位規則を考慮することができる。
【０１６７】
ＭｅＮＢに送信されるＰＲＡＣＨが最も高い優先順位を有する。
【０１６８】
宛先ｅＮＢと関係無しで他のチャネルに比べてＰＲＡＣＨが最も高い優先順位を有する。
【０１６９】
ＭｅＮＢに送信されるＰＵＣＣＨまたはＵＣＩを含むＰＵＳＣＨがＭｅＮＢに送信されるＰＵＣＣＨまたはＵＣＩを含むＰＵＳＣＨより高い優先順位を有する。
【０１７０】
ＰＵＣＣＨまたはＵＣＩを含むＰＵＳＣＨがＵＣＩまたはＳＲＳを含まないＰＵＳＣＨに比べて高い優先順位を有する。
【０１７１】
ＰＵＣＣＨまたはＵＣＩを含むＰＵＳＣＨに対しては、電力スケーリングが実行されない。他のチャネルに対しては、同じ電力スケーリング（または、加重値が適用された電力スケーリング）が実行されることができる。
【０１７２】
次は、異種のｅＮＢ間の衝突時、優先順位設定を整理した表である。
【表７】
2020022197.tif 000009
【０１７３】
以上の表に示す細部オプション（Ｏｐｔｉｏｎ）のうち、ＭｅＮＢに対する優先順位を高く設定するオプション、即ち、オプション１を基本的に考慮することができる。ただし、ＭｅＮＢのセット４は、ＳｅＮＢのセット０、セット１、セット２、セット３より低い優先順位を有することができる。または、ＭｅＮＢに送信するチャネルとＳｅＮＢに送信するチャネルが同じセットに該当する場合には、ＭｅＮＢに送信するチャネルがより高い優先順位を有することができる。または、ＭｅＮＢに送信されるチャネルが複数のセットに該当する場合には、ＭｅＮＢに送信されるチャネルがより優先順位を有することができる。次は、基準と共に考慮することができる事項を羅列したものである。
【０１７４】
−セット１の場合、ＳｅＮＢに送信されるＳＲのみが上位階層シグナルによって一層高い優先順位に設定されることができる。ＭｅＮＢに送信されるチャネルがセット１に該当し、同様にＳｅＮＢに送信されるチャネルもセット１に該当する場合、ＭｅＮＢに送信されるチャネルのうちＳＲは送信されない。このとき、送信されないＳＲは、否定（ｎｅｇａｔｉｖｅ）ＳＲである。上位階層シグナルは、ＳＲに対するＳｅＮＢの優先順位を示すものであり、またはＭＡＣ階層でベアラ分割（Ｂｅａｒｅｒ  ｓｐｌｉｔ）と関連したパラメータである。一例として、ベアラをＳｅＮＢにのみ割り当てる場合にはＳｅＮＢに対するＳＲがＭｅＮＢのＨＡＲＱ−ＡＣＫより高く設定されることもできる。このときのＳＲは、肯定（ｐｏｓｉｔｉｖｅ）ＳＲである。
【０１７５】
−ＭｅＮＢに送信されるチャネルがセット５に該当し、同様に、ＳｅＮＢに送信されるチャネルもセット５に該当する場合、同じ優先順位が使われることができる。
【０１７６】
次は、各ｅＮＢ別に複数のチャネルを送信する場合、ｅＮＢ間に優先順位設定を整理した表である。
【表８】
2020022197.tif 000010
【０１７７】
次は、第２の優先順位規則（または、第２のモード）を適用する時、ＰＣｅｌｌまたはプライマリセルグループ（即ち、ＭＣＧ）に送信されるチャネル間の優先順位設定方法に対する具体的な例である。下記優先順位規則は、ＰＣｅｌｌに送信されるチャネルの電力を設定時に考慮したり、ＰＣｅｌｌに送信されるチャネルをドロップするための規則を適用する時に考慮することができる。
【０１７８】
２．１  ＰＵＳＣＨとＰＵＣＣＨ
音声通信をサポートするための目的として、ＵＬ  ＳＰＳ  ＰＵＳＣＨの使用を考慮することができ、この場合に該当ＰＵＳＣＨの優先順位を高く設定することを考慮することができる。次は、ＰＵＣＣＨとＵＬ  ＳＰＳ  ＰＵＳＣＨに対する優先順位設定に対する一例である。
【０１７９】
第１のオプションとして、ＰＵＣＣＨに含まれているＵＣＩによって、優先順位を決定する。より具体的な例として、次の順序に設定する：
【０１８０】
第１のオプションの第１の例示として、周期的なＣＳＩを含むＰＵＣＣＨ＜ＵＬ  ＳＰＳ  ＰＵＳＣＨ＜＝ＨＡＲＱ−ＡＣＫ／ＳＲを含むＰＵＣＣＨ
【０１８１】
第１のオプションの第２の例示として、周期的なＣＳＩを含むＰＵＣＣＨ＜ＨＡＲＱ−ＡＣＫ／ＳＲを含むＰＵＣＣＨ＜ＵＬ  ＳＰＳ  ＰＵＳＣＨ
【０１８２】
第１のオプションの第３の例示として、ＵＬ  ＳＰＳ  ＰＵＳＣＨ＜周期的なＣＳＩを含むＰＵＣＣＨ＜ＨＡＲＱ−ＡＣＫ／ＳＲを含むＰＵＣＣＨ
【０１８３】
前記例示において、肯定（Ｐｏｓｉｔｉｖｅ）ＳＲを含むＰＵＣＣＨのみがＳＲを含まなく、ＨＡＲＱ−ＡＣＫを含むＰＵＣＣＨより高い優先順位を有することができる。
【０１８４】
第２のオプションとして、プライマリセルグループ（即ち、ＭＣＧ）内でＰＣｅｌｌに対するチャネルの優先順位を最も高く設定する。第２のオプションは、プライマリセルグループ（即ち、ＭＣＧ）に対する優先順位が高く設定され、プライマリセルグループ（即ち、ＭＣＧ）内のｃｅｌｌ個数が複数である場合のためのものである。
【０１８５】
ここで、ＰＵＣＣＨがＨＡＲＱ−ＡＣＫ／ＳＲを含むとする時にはＰＵＣＣＨが周期的なＣＳＩも含むことを排除するものではないが、ＰＵＣＣＨが周期的なＣＳＩを含むとする時にはＰＵＣＣＨが周期的なＣＳＩのみ含むことを意味する。該当ｃｅｌｌのＵＬ  ＳＰＳ  ＰＵＳＣＨ以外のＰＵＳＣＨに対しては、既存３ＧＰＰ  Ｒｅｌ−１２の優先順位規則に従うことを考慮することができる。
【０１８６】
２．２  ＰＵＳＣＨとＰＵＳＣＨ
以下で説明する内容は、プライマリセルグループ（即ち、ＭＣＧ）の優先順位が高く設定された場合に対するものである。Ｍａｃｒｏ  ｅＮｏｄｅＢは、複数のセルをアグリゲーションすることができ、この場合、既存３ＧＰＰ  Ｒｅｌ−１２による優先順位規則がそのまま適用されることもでき、音声通信を保護するための目的としてＳＰＳ  ＰＵＳＣＨに対する優先順位を再設定することもできる。次は、ＵＬ  ＳＰＳ  ＰＵＳＣＨとプライマリセルグループ（即ち、ＭＣＧ）の他のセルのＰＵＳＣＨに対する優先順位設定に対する一例である。
【０１８７】
第１の方案として、ＰＵＳＣＨに含まれているＵＣＩ有無または種類によって、優先順位を決定する。より具体的な例として、次の順序に設定する：
【０１８８】
第１の方案の第１のオプションとして、周期的なＣＳＩを含むＰＵＳＣＨ＜ＵＬ  ＳＰＳ  ＰＵＳＣＨ＜非周期的なＣＳＩを含むＰＵＳＣＨ
【０１８９】
第１の方案の第２のオプションとして、周期的な／非周期的なＣＳＩを含むＰＵＳＣＨ＜ＵＬ  ＳＰＳ  ＰＵＳＣＨ＜＝ＨＡＲＱ−ＡＣＫを含むＰＵＳＣＨ
【０１９０】
第１の方案の第３のオプションとして、ＨＡＲＱ−ＡＣＫを含むＰＵＳＣＨ＜ＵＬ  ＳＰＳ  ＰＵＳＣＨ
【０１９１】
第２の方案として、ＰＵＳＣＨに含まれているＵＬ−ＳＣＨと割り当てられたＲＢ個数に基づいて優先順位を決定する。より具体的な例として、ＰＵＳＣＨのコーディングレート（ｃｏｄｉｎｇ  ｒａｔｅ）がＵＬ  ＳＰＳ  ＰＵＳＣＨのコーディングレート（ｃｏｄｉｎｇ  ｒａｔｅ）よりあらかじめ設定された閾値以上低い場合、ＵＬ  ＳＰＳ  ＰＵＳＣＨの優先順位を高く設定する。
【０１９２】
第３の方案として、プライマリセルグループ（即ち、ＭＣＧ）内でＰＣｅｌｌに対するチャネルの優先順位を最も高く設定する。本オプションは、プライマリセルグループ（即ち、ＭＣＧ）に対する優先順位が高く設定され、プライマリセルグループ（即ち、ＭＣＧ）内のセル個数が複数である場合に限定できる。
【０１９３】
＜本明細書の第２の開示＞
本明細書の第２の開示は、各ｅＮｏｄｅＢ別に、またはセルグループ別に、またはセル別に最小電力を保障する方案を提示する。
【０１９４】
次期システムでは、ＵＥが二重接続時に各ｅＮｏｄｅＢ（または、各セルグループまたは各セルグループ内の特定セル）への送信を保障するために、ＵＥが最小に保障できる電力を設定することを導入することができる。一例として、ＵＥが第２のｅＮｏｄｅＢへの送信電力をＰｃｍｉｎ２で設定を受けた場合、第１のｅＮｏｄｅＢの優先順位が高く設定されているとしても、第２のｅＮｏｄｅＢへの送信電力を少なくともＰｃｍｉｎ２以上に設定することを考慮することができる。各ｅＮｏｄｅＢ／セルグループ／セルは、ＵＥが最小に保障できる電力またはチャネル別電力値を決定して知らせることができる。
【０１９５】
この場合に設定されたＵＥ最小電力によって、第１のｅＮｏｄｅＢと第２のｅＮｏｄｅＢに送信されるＵＬチャネルに対する電力制御（例えば、電力スケーリング、または送信ドロップ）時に考慮対象に含まれる。
【０１９６】
１．第１のｅＮｏｄｅＢ（例えば、ＭｅＮＢ）に対する最小送信電力（最小ＵＥ送信電力）が設定された場合
二重接続（Ｄｕａｌ  ｃｏｎｎｅｃｔｉｖｉｔｙ）で、ＭｅＮＢは、ＲＲＣ接続設定、移動性管理（ｍｏｂｉｌｉｔｙ  ｈａｎｄｌｉｎｇ）などを担当するようになり、したがって、一般的にＭｅＮＢに対するアップリンクチャネルの優先順位がＳｅＮＢに対するアップリンクチャネルの優先順位より高く設定されることもできる。また、アップリンクチャネルは、例えば、ＰＲＡＣＨ、ＰＵＣＣＨ、ＳＰＳ  ＰＵＳＣＨ、ＵＣＩを含むＰＵＳＣＨの組合せに該当することもできる。これはＭｅＮＢへのアップリンクチャネルの全体または一部に対する送信性能を保障するために、最小限のＵＥ送信電力をＭｅＮＢに対して予約するためのことである。ここで、ＭｅＮＢが実際スケジューリングした電力の値が最小限のＵＥ送信電力より小さい場合、最小ＵＥ送信電力の値の代りにスケジューリングした電力値が使われることができる。
【０１９７】
ＭＣＧまたはＳＣＧのうち少なくとも片方の最終送信電力（各チャネル別電力の総和）がｅＮｏｄｅＢ（Ｐ＿ｘｅＮＢ）別に初期に設定された最小ＵＥ送信電力より小さい場合、残りの電力（例えば、Ｐ＿ＣＭＡＸ  Ｐ＿ＭｅＮＢまたはＰ＿ＣＭＡＸ  Ｐ＿ＳｅＮＢ）を他のセルグループに割り当てることを考慮することができる。このとき、他のセルグループは、残りの電力（Ｐ＿ＣＭＡＸ−ｔｏｔａｌ  ａｌｌｏｃａｔｅｄ  ｐｏｗｅｒ  ｔｏ  ｔｈｅ  ｏｔｈｅｒ  ｅＮｏｄｅＢ）を上限にして最終送信電力を割り当てることができる。このとき、ＵＥは、割当を受けた電力を自分が使用することができる最大パワーに設定した後、既存Ｒｅｌ−１１による規則を適用して各チャネルに電力を割り当てることができる。このとき、タイミングが同期されない状況、例えば、２個のサブフレームが重なる状況では、２個のサブフレームにわたり使われない電力の値が最小値にならなければならない。即ち、ｍｉｎ｛Ｐ＿ＣＭＡＸ（Ｉ、ｋ）  Ｐ＿ａｌｌｏｃ＿ｘｅＮＢ（ｋ）、Ｐ＿ＣＭＡＸ（Ｉ、ｋ＋１）  Ｐ＿ａｌｌｏｃ＿ｘｅＮＢ（ｋ＋１）｝を使用することができる。ＵＥが電力制限状況（全体ＵＥ電力がＰｃｍａｘを超える場合）で電力スケーリング方法は、下記の方式で動作できる。実施例では、便宜上、第１のｅＮｏｄｅＢをＭｅＮＢとして説明し、ｅＮｏｄｅＢ２をＳｅＮＢとして説明する。
【０１９８】
第１の例示として、ＰＵＳＣＨの送信のためのＵＥ送信電力を最小電力に設定する。このとき、ＰＵＳＣＨの送信は、再送信に該当できる。また、ここでのＰＵＳＣＨは、ＳＰＳ  ＰＵＳＣＨに対応され、またはランダムアクセス手順に対応されるものは含まない。一例として、ランダムアクセス手順に対応されるＰＵＳＣＨは、電力制限である状況にも最小電力以上に設定できる。
【０１９９】
第２の例示として、ＳｅＮＢに送信されるアップリンクチャネル（タイミングが同期されない状況では重複部分を考慮してサブフレームの全体または一部上のアップリンクチャネル）が｛セット０、セット１、セット２、セット３｝または｛セット０、セット１、セット２｝または｛セット０、セット１｝に該当する場合、ＭｅＮＢに送信されるＰＵＳＣＨに対するＵＥ送信電力を最小電力に設定する。ＭｅＮＢに対するＰＵＳＣＨは、再送信されるものである。
【０２００】
２．第２のｅＮｏｄｅＢ（例えば、ＳｅＮＢ）に対する最小ＵＥ送信電力が設定された場合
二重接続で、ＭｅＮＢに送信される全体または一部のアップリンクチャネルに対する優先順位を高く設定する場合には、ＳｅＮＢに対するアップリンクチャネル（例えば、ｐＳＣｅｌｌへのＰＵＣＣＨ含む）が過度に低い電力で送信されるように電力スケーリングされることによって、スペクトラム効率（ｓｐｅｃｔｒａｌ  ｅｆｆｉｃｉｅｎｃｙ）が落ちる問題が発生できる。これに対する対策として、ＳｅＮＢに対する全体または一部のアップリンクチャネルに対して最小ＵＥ送信電力を設定し、これを保障することを考慮することができる。例えば、第２のｅＮｏｄｅＢが実際スケジューリングした全体電力の値が第２のｅＮｏｄｅＢに対して設定された最小限のＵＥ送信電力より小さい場合には、該当値が最小ＵＥ送信電力の値に代替されることができる。ＭＣＧまたはＳＣＧのうち少なくとも片方の最終送信電力（各チャネル別送信電力の総和）がｅＮｏｄｅＢ別に初期に設定された最小ＵＥ送信電力（Ｐ＿ｘｅＮＢ）より小さい場合には、残りの電力（例えば、Ｐ＿ＣＭＡＸ  Ｐ＿ＭｅＮＢまたはＰ＿ＣＭＡＸ  Ｐ＿ＳｅＮＢ）を他のセルグループに割り当てることを考慮することができる。このとき、該当他のセルグループは、残りの電力（Ｐ＿ＣＭＡＸ−ｔｏｔａｌ  ａｌｌｏｃａｔｅｄ  ｐｏｗｅｒ  ｔｏ  ｔｈｅ  ｏｔｈｅｒ  ｅＮｏｄｅＢ）を上限にして最終送信電力を割り当てることができる。このとき、タイミングが同期されない状況、例えば、２個のサブフレームが重なる状況では、２個のサブフレームにわたり使われない電力の値が最小値にならなければならない。即ち、ｍｉｎ｛Ｐ＿ＣＭＡＸ（Ｉ、ｋ）  Ｐ＿ａｌｌｏｃ＿ｘｅＮＢ（ｋ）、Ｐ＿ＣＭＡＸ（Ｉ、ｋ＋１）  Ｐ＿ａｌｌｏｃ＿ｘｅＮＢ（ｋ＋１）｝である。次は、ＵＥが電力制限状況で電力スケーリング方法に対する具体的な一例である。実施例では、便宜上、第１のｅＮｏｄｅＢをＭｅＮＢとして説明し、ｅＮｏｄｅＢ２をＳｅＮＢとして説明する。
【０２０１】
第１の例示として、ＳｅＮＢに送信されるアップリンクチャネルの全部または一部に対して最小電力以上に設定する。ここでのアップリンクチャネルは、｛セット０、セット１、セット２、セット３｝または｛セット０、セット１、セット２｝または｛セット０、セット１｝に該当できる。この場合、優先順位が高いアップリンクチャネルの場合にも最小電力を保障するために電力スケーリングが実行されることができる。一例として、ＭｅＮＢに送信されるＵＣＩを含むＰＵＳＣＨがＳｅＮＢに送信されるＨＡＲＱ−ＡＣＫを含むＰＵＣＣＨより優先順位が高く設定された場合にも、ＵＥが電力制限状況でＳｅＮＢの最小電力を保障するためにＭｅＮＢのアップリンクチャネルに対して電力スケーリングを実行することができる。
【０２０２】
第２の例示として、ＳｅＮＢに送信されるアップリンクチャネルの全体または一部に対して最小電力以上に設定する。ここでのアップリンクチャネルは、｛セット０、セット１、セット２、セット３｝または｛セット０、セット１、セット２｝または｛セット０、セット１｝に該当できる。例えば、ＭｅＮＢに送信されるアップリンクチャネルがＰＲＡＣＨ、ＰＵＣＣＨ、ＵＣＩを含むＰＵＳＣＨ、ＳＰＳ  ＰＵＳＣＨである場合、ＳｅＮＢに対する最小送信電力を保障しない。ただし、ここで、ＳＰＳ  ＰＵＳＣＨは除外されることができる。一例として、電力制限ＵＥがＳｅＮＢにＰＵＣＣＨを送信しようとし、ＭｅＮＢにはＵＣＩを含むＰＵＳＣＨを送信しようとすると、ＳｅＮＢに対するアップリンクチャネルは送信されない、またはその送信電力が最小送信電力より低く設定されることができる。
【０２０３】
第３の例示として、ＳｅＮＢへ向かうアップリンクチャネルの送信電力を常に最小電力以上に予約することができる。ここでの最小電力は、特定チャネル毎に設定されることができる。特定チャネルは、｛セット０、セット１、セット２、セット３｝または｛セット０、セット１、セット２｝または｛セット０、セット１｝に該当できる。この場合、ＳｅＮＢに対するアップリンクチャネルの送信が実際にはない場合にもＭｅＮＢが最大に使用することができる電力は、Ｐｃｍａｘで最小電力を引いた値を超えない。
【０２０４】
以後の動作は、優先順位規則によって、ＵＥが電力ｓｃａｌｉｎｇ／ｄｒｏｐｐｉｎｇを実行することができる。
【０２０５】
３．第１のｅＮｏｄｅＢとｅＮｏｄｅＢ２に対する最小ＵＥ送信電力が同時に設定された場合]
二重接続状況で、ＭｅＮＢのカバレッジを保護するための目的とＳｅＮＢによるスペクトラム効率性（ｓｐｅｃｔｒａｌ  ｅｆｆｉｃｉｅｎｃｙ）を極大化するための方法として、二つのｅＮｏｄｅＢに対して最小ＵＥ送信電力を設定することを考慮することができる。各ｅＮｏｄｅＢで実際スケジューリングした全体電力の値が最小限のＵＥ送信電力より小さい場合、該当値が該当最小ＵＥ送信電力の値に代替されることができる。ここで、ＭＣＧまたはＳＣＧのうち少なくとも片方の最終送信電力（各チャネル別電力の総和）がｅＮｏｄｅＢ別に初期設定された最小ＵＥ送信電力（Ｐ＿ｘｅＮＢ）より小さい場合には、残りの電力（例えば、Ｐ＿ＣＭＡＸ  Ｐ＿ＭｅＮＢまたはＰ＿ＣＭＡＸ  Ｐ＿ＳｅＮＢ）を他のセルグループに割り当てることができ、このとき、該当他のセルグループは、残りの電力（Ｐ＿ＣＭＡＸ−ｔｏｔａｌ  ａｌｌｏｃａｔｅｄ  ｐｏｗｅｒ  ｔｏ  ｔｈｅ  ｏｔｈｅｒ  ｅＮｏｄｅＢ）を上限にして最終送信電力を割り当てることができる。割当を受けた電力をＵＥが使用することができる最大パワーに設定した後、Ｒｅｌ−１１による規則を適用して電力を各チャネルに割り当てることができる。このとき、タイミングが同期されない状況、例えば、２個のサブフレームが重なる状況では、２個のサブフレームにわたり使われない電力の値が最小値にならなければならない。即ち、ｍｉｎ｛Ｐ＿ＣＭＡＸ（Ｉ、ｋ）  Ｐ＿ａｌｌｏｃ＿ｘｅＮＢ（ｋ）、Ｐ＿ＣＭＡＸ（Ｉ、ｋ＋１）  Ｐ＿ａｌｌｏｃ＿ｘｅＮＢ（ｋ＋１）｝である。次は、ＵＥが電力制限状況での電力スケーリング方法に対する具体的な一例である。この場合、セルグループ別要求電力がＰ＿ｘｅＮＢより大きいと仮定することができる。実施例では、便宜上、第１のｅＮｏｄｅＢをＭｅＮＢとして説明し、ｅＮｏｄｅＢ２をＳｅＮＢとして説明する。
【０２０６】
第１の例示として、設定された最小ＵＥ送信電力ほど各ｅＮｏｄｅＢに対するアップリンクチャネルの電力を設定する。その以後に残る電力（即ち、Ｐｃｍａｘから各最小電力の和を引いた値）で公平にＭｅＮＢとＳｅＮＢに割り当てる。割当は、アップリンク送信がない場合に該当電力を予約することも含むことができる。
【０２０７】
第２の例示として、設定された最小ＵＥ送信電力ほど各ｅＮｏｄｅＢに対するアップリンクチャネルの電力を設定する。その以後に残る電力（即ち、Ｐｃｍａｘから各最小電力の和を引いた値を、ＭｅＮＢとＳｅＮＢに設定された最小電力の比率によって非均等に割り当てる。割当は、アップリンク送信がない場合に該当電力を予約することも含むことができる。一例として、ＭｅＮＢに対する最小電力がＳｅＮＢに対する最小電力に比べて２倍設定された場合、残る電力を割当時にもＭｅＮＢに追加に２倍割り当てられることを考慮することができる。
【０２０８】
第３の例示として、設定された最小ＵＥ送信電力ほどｅＮｏｄｅＢに対するアップリンクチャネルの電力を設定する。その以後に残る電力（即ち、Ｐｃｍａｘから各最小電力の和を引いた値）に対しては、優先順位規則によって高い側に該当するｅＮｏｄｅＢまたはセルに電力を追加に割り当てる。
【０２０９】
ここで、一部チャネル（例えば、ＨＡＲＱ−ＡＣＫが含まれているＰＵＣＣＨ及び／またはＰＵＳＣＨ）の最終設定された電力がＰ＿ｘｅＮＢ（セルグループ毎に設定された最小ＵＥ送信電力）または初期にＴＰＣ等によりスケジューリングされた電力とＰ＿ＣＭＡＸ、ｃの最小値より小さくなる場合には、該当チャネルの送信をドロップ（ｄｒｏｐ）することを追加に考慮することができる。以後の動作は、各セルグループ別にチャネルに割り当てられた電力の総和を各セルグループで使用することができる最大電力に固定した後、既存Ｒｅｌ−１１による優先順位規則または電力スケーリング規則を適用することができる。ここで、最小電力の和がＰｃｍａｘを超える場合は発生しないと仮定することができ、該当場合にはＵＥが二重接続モードで動作しないと解釈できる。または、超える場合、Ｐ＿ＭｅＮＢ＝Ｐ＿ＭｅＮＢ；Ｐ＿ＳｅＮＢ＝Ｐ＿ＣＭＡＸ−Ｐ＿ＭｅＮＢにＵＥが変更することもできる。
【０２１０】
最小ＵＥ送信電力は、ｅＮｏｄｅＢで設定した値をそのままＵＥが利用する形態であり、またはサブフレーム別に上位階層で設定した値とＴＰＣを利用してＵＥが更新する形態である。次は、各チャネル（ＰＵＳＣＨ、ＰＵＣＣＨ）別に最小ＵＥ送信電力を設定する方法に対する一例である。
【数１】
2020022197.tif 000011
【０２１１】
ここで、Ｐ0_PUCCH、cは、既存Ｒｅｌ−１１ではＰＣｅｌｌによってのみ上位階層シグナルを介して設定される値であるが、二重接続状況ではｐＳＣｅｌｌのようにＳｅＮＢによるセルによっても設定されることができる。他の方法では、追加的な既存フォーマットを各チャネル別にＵＥに設定する方案も考慮できる。一例として、ＰＵＣＣＨに対する基準フォーマットではＰＵＣＣＨフォーマット３で該当ｅＮｏｄｅＢにより設定されたセルの個数によるＨＡＲＱ−ＡＣＫビット数に設定することもできる。ここで、設定されたセルは、ＭｅＮＢまたはＳｅＮＢによるセルである。
【０２１２】
本開示において、
【数２】
2020022197.tif 000012
は該当パラメータＰのｌｉｎｅａｒ値を示す。
【０２１３】
第１のｅＮｏｄｅＢ及び／または第２のｅＮｏｄｅＢに対する最小保障ＵＥ送信電力を指定する時、まず、各ｅＮｏｄｅＢに対して各々設定された電力値以下にＵＥ送信電力を優先的に割り当てた以後に、残りの電力を割り当てる時に各ｅＮｏｄｅＢに複数のアップリンクチャネルを送信することを考慮することもできる。同じセルグループ内で複数のアップリンクチャネルに対しては、既存Ｒｅｌ−１１による優先順位規則によって電力割当順番を定めることができる。そして、セルグループ間では第１の開示によって選択される優先順位規則によって残りの電力を割り当てることができる。最小保障ＵＥ送信電力を各セルグループに対してＰ＿ＭｅＮＢ、Ｐ＿ＳｅＮＢで表記するとする時、各セルグループに送信されるチャネルの電力がＰ＿ＭｅＮＢまたはＰ＿ＳｅＮＢを超えるチャネルに限って、残った電力を割り当てることができる。一例として、ＭＣＧにＰＵＣＣＨとＰＵＳＣＨが送信され、ＳＣＧにもＰＵＣＣＨとＰＵＳＣＨが送信されると仮定する。このとき、ＭＣＧへのＰＵＣＣＨに対しては割当電力がＰ＿ＭｅＮＢより小さく設定され、ＳＣＧへのＰＵＣＣＨに対してはＰ＿ＳｅＮＢより大きく設定される場合、残った電力（実施例では線形的スケーリング観点でＰ＿ＣＭＡＸ  Ｐ＿ＭｅＮＢ  Ｐ＿ＳｅＮＢ）を優先順位規則によってＭＣＧ  ＰＵＳＣＨ、ＳＣＧ  ＰＵＣＣＨ、ＳＣＧ  ＰＵＳＣＨに割り当てることができる。
【０２１４】
以下で説明する実施例では、説明の便宜上、残った電力が割り当てられるアップリンクチャネルがＣＨ１＞ＣＨ２＞ＣＨ３＞ＣＨ４＞ＣＨ５＝ＣＨ６の順序に優先順位を有すると仮定する。即ち、チャネルを優先順位規則によって整列した後、順序通りに残った電力を割り当てると仮定する。また、ＣＨ１、ＣＨ３、ＣＨ５はＭＣＧに送信され、ＣＨ２、ＣＨ４、ＣＨ６はＳＣＧに送信されると仮定する。
【０２１５】
まず、ＣＨ１の電力を設定する。ＣＨ１の電力は、経路損失（ｐａｔｈｌｏｓｓ）、上位階層シグナルに与えられた値、ＴＰＣ命令などの組合せを考慮して決定される送信電力でＰ＿ＭｅＮＢ内に割り当てられた値（
【数３】
2020022197.tif 000013
で表現され、各セルグループにＰ＿ｘｅＮＢを割当時に該当チャネルに割り当てられた電力値）を引いた値と残った電力との間の最小値に割り当てることができる。ここで、
【数４】
2020022197.tif 000014
は、初期にＰ＿ＭｅＮＢまたはＰ＿ＳｅＮＢほど各セルグループに電力を割り当てる状況で、一部チャネルに割り当てられた量を表現し、したがって、Ｐ＿ＭｅＮＢまたはＰ＿ＳｅＮＢに含まれない場合には該当値を０に指定し、該当チャネルが単独でＰ＿ＭｅＮＢまたはＰ＿ＳｅＮＢ値を超える場合には該当値をＰ＿ＭｅＮＢまたはＰ＿ＳｅＮＢに指定する。
【０２１６】
まず、各ＣＨ別に電力を割り当てる前に各ｅＮｏｄｅＢ別に
【数５】
2020022197.tif 000015
を割り当てる。ここで、Ｐalloc_by_TPCは、ＴＰＣに割当を受けたＰＲＡＣＨ、ＳＲＳを除外した全てのアップリンクチャネルに対する電力の総和である。即ち、全てのスケジューリングされたアップリンクチャネルの電力の総和を意味する。したがって、もし、スケジューリングされたアップリンクチャネルがない、または電力割当がＰ＿ｘｅＮＢより低い場合、より少ない電力がセッティングされることができる。このようなセッティングは、ＵＥが他のｅＮｏｄｅＢの以後タイミングにくるサブフレームに対する情報を知っている時に適用されることができる。
【０２１７】
ＣＨ１を一例としてＰＵＣＣＨとする時、電力設定数式は、以下の通りである。
【数６】
2020022197.tif 000016
【０２１８】
ここで、ＰPUCCH、PCell（ｉ）は、サブフレームｉでＭＣＧに送信されるＰＵＣＣＨのために割り当てられた電力で既存Ｒｅｌ−１１によって設定した値とみることができ、Ｐ＿ＣＭＡＸ、ｃを上限として有する。以下の数式で表現される。
【数７】
2020022197.tif 000017
【０２１９】
次に、ＣＨ２の電力を設定する。ＣＨ２の電力は、残った電力からＣＨ１の電力を除外した値を上限として設定できる。そして、ＣＨＥの電力は、経路損失（ｐａｔｈｌｏｓｓ）、上位階層シグナルに与えられた値、ＴＰＣ命令などの組合せを考慮して決定されるＰ＿ＣＭＡＸ、ｃを上限として有する電力からＰ＿ＳｅＮＢ内に割り当てられた値（
【数８】
2020022197.tif 000018
で表現され、各セルグループにＰ＿ｘｅＮＢを割当時に該当チャネルに割り当てられた電力値）を引いた値と上限値との間の最小値に割り当てられる。ＣＨ２を一例としてＰＵＣＣＨとする時、該当電力設定数式は、以下の通りである。
【数９】
2020022197.tif 000019
【０２２０】
ここで、ＰPUCCH、PSCell（ｉ）は、サブフレームｉでＳＣＧに送信されるＰＵＣＣＨに対して割り当てられた電力で既存Ｒｅｌ−１１によって設定した値とみることができ、Ｐ＿ＣＭＡＸ、ｃを上限として有する。
【０２２１】
次に、ＣＨ３の電力を設定する。同じ方式に、ＣＨ３の電力は、残った電力から優先順位が高いチャネルの電力を除外した値を上限として決定されることができる。Ｐ＿ＣＭＡＸ、ｃを上限として有する電力でＰ＿ＭｅＮＢ内に割り当てられた値（
【数１０】
2020022197.tif 000020
で表現され、各セルグループにＰ＿ｘｅＮＢを割当時に該当チャネルに割り当てられた電力値）は適用されない。例えば、ＣＨ３がＵＣＩを含むＰＵＳＣＨとする時、該当電力設定数式は、以下の通りである。
【数１１】
2020022197.tif 000021
【０２２２】
ここで、ＰPUSCH、MCG_i（ｉ）は、サブフレームｉでＭＣＧに送信されるＰＵＳＣＨに対する電力で既存Ｒｅｌ−１１によって割り当てられた値であり、該当セルにＰＵＣＣＨとＰＵＳＣＨが同時送信されるかどうかによってＰ＿ＣＭＡＸ、ｃまたは
【数１２】
2020022197.tif 000022
を上限として有する。ＰＵＣＣＨとＰＵＳＣＨの同時送信でない場合には数式６で表現され、ＰＵＣＣＨとＰＵＳＣＨの同時送信である場合には数式７で表現される。
【数１３】
2020022197.tif 000023
【０２２３】
または、二重接続を実行するＵＥに限って数式６に設定されるようにすることもできる。
【０２２４】
次に、ＣＨ４の電力を設定する。同じ方式に、ＣＨ４の電力は、残った電力から優先順位が高いチャネルの電力を除外した値を上限として決定されることができる。Ｐ＿ＣＭＡＸ、ｃを上限として有する電力でＰ＿ＳｅＮＢ内に割り当てられた値（
【数１４】
2020022197.tif 000024
で表現され、各セルグループにＰ＿ｘｅＮＢを割当時に該当チャネルに割り当てられた電力値）は適用されない。例えば、ＣＨ４をＵＣＩを含むＰＵＳＣＨとする時、該当電力設定数式は、以下の通りである。
【数１５】
2020022197.tif 000025
【０２２５】
ここで、ＰPUSCH、SCG_iは、サブフレームｉでＭＣＧに送信されるＰＵＳＣＨに対して割り当てられた電力で既存Ｒｅｌ−１１によって割り当てられた値とみることができ、該当セルへのＰＵＣＣＨとＰＵＳＣＨの同時送信可否によって、Ｐ＿ＣＭＡＸ、ｃまたは
【数１６】
2020022197.tif 000026
を上限として有する。ＰＵＣＣＨとＰＵＳＣＨの同時送信でない場合には数式６で表現され、ＰＵＣＣＨとＰＵＳＣＨの同時送信である場合には数式７で表現される。または、二重接続したＵＥに限って数式６に設定されるようにすることもできる。
【０２２６】
次に、ＣＨ５とＣＨ６は、同じ優先順位を有すると仮定し、両方とも同じセルグループに属するものである。一例として、ＣＨ５とＣＨ６がＵＣＩを含まないＰＵＳＣＨとする時、該当電力設定数式は、以下の通りである。
【数１７】
2020022197.tif 000027
【０２２７】
ここでＰPUSCH、c(i)は、サブフレームｉでＭＣＧに送信されるＰＵＳＣＨに対して割り当てられた電力で既存Ｒｅｌ−１１によって設定した値とみることができ、該当セルへのＰＵＣＣＨとＰＵＳＣＨの同時送信可否によって、Ｐ＿ＣＭＡＸ、ｃまたは
【数１８】
2020022197.tif 000028
を上限として有する。ＰＵＣＣＨとＰＵＳＣＨの同時送信でない場合には数式６で表現され、ＰＵＣＣＨとＰＵＳＣＨの同時送信である場合には数式７で表現される。または、二重接続したＵＥに限って数式６に設定されるようにすることもできる。
【０２２８】
数式９において、ＵＣＩを含まないＰＵＳＣＨに対してＭＣＧに対する優先順位をＳＣＧに対する優先順位より高く設定する場合には、ＣＨ２、ＣＨ３、ＣＨ４などのような方式に電力を設定することもできる。
【０２２９】
また、言及した実施例で一部チャネルが送信されない場合には数式で該当ＣＨに対する値を考慮しないと仮定することができる。また、優先順位規則設定によって各ＣＨが示すチャネルは変わることができ、この場合にも本発明の思想を拡張して適用できる。
【０２３０】
例示において、ＣＨ１とＣＨ２のように一部電力がＰ＿ＭｅＮＢまたはＰ＿ＳｅＮＢ割当に含まれる場合に、ＣＨ１とＣＨ２がＵＣＩを含まないＰＵＳＣＨに該当すると、電力スケーリング方法は、下記の具体的な例として説明されることができる。
【０２３１】
第１の例示として、Ｐ＿ＭｅＮＢまたはＰ＿ＳｅＮＢ割当以後に残った電力を割り当てる時、電力スケーリングを実行する。
【０２３２】
第２の例示として、Ｐ＿ＭｅＮＢまたはＰ＿ＳｅＮＢに割り当てられる部分を考慮して全体割当電力に対して電力スケーリングを実行する。
【０２３３】
ここで、Ｐ＿ＭｅＮＢとＰ＿ＳｅＮＢの和は、Ｐ＿ＣＭＡＸより大きく設定されることもでき、この場合には実際電力割当時に最小保障電力を再調整する必要がある。次は、Ｐ＿ＭｅＮＢとＰ＿ＳｅＮＢの和がＰ＿ＣＭＡＸより大きく設定される場合に電力割当方法に対するより具体的な例である。
【０２３４】
第１の例示として、Ｐ＿ＭｅＮＢとＰ＿ＳｅＮＢの値を不公平にまたは公平に電力スケーリングすることによって、和がＰ＿ＣＭＡＸ以下に設定されるようにする。以後に、ＵＥは、該当電力割当手順を実行することができる。
【０２３５】
第２の例示として、Ｐ＿ＭｅＮＢの値はそのまま維持し、Ｐ＿ＳｅＮＢの値をＰ＿ＣＭＡＸ−Ｐ＿ＭｅＮＢ以下に再調整する。以後に、ＵＥは、該当電力割当手順を実行することができる。
【０２３６】
第３の例示として、Ｐ＿ＳｅＮＢの値はそのまま維持し、Ｐ＿ＭｅＮＢの値をＰ＿ＣＭＡＸ−Ｐ＿ＳｅＮＢ以下に再調整する。以後に、ＵＥは、該当電力割当手順を実行することができる。
【０２３７】
第４の例示として、Ｐ＿ＭｅＮＢとＰ＿ＳｅＮＢのうちそのまま維持する値を上位階層シグナルを介してＵＥに設定する。
【０２３８】
Ｐ＿ＭｅＮＢとＰ＿ＳｅＮＢは、初期にＭｅＮＢで設定した値を示すものであり、または電力割当過程で
【数１９】
2020022197.tif 000029
計算以後の値を示すものである。
【０２３９】
一般的に、以下のように示すことができる。
【数２０】
2020022197.tif 000030
【０２４０】
次の実施例ではＰＵＣＣＨ／ＰＵＳＣＨに対する電力割当に対して説明する。
【０２４１】
まず、第１の優先順位を有するＣＨ１に対して説明する。
【０２４２】
【数２１】
2020022197.tif 000031
は、第１の優先順位チャネルＣＨ１に対してＴＰＣにより要求された電力及びＰ＿ＣＭＡＸ、ｃにより上限が制限された電力を意味する。
【０２４３】
まず、ＭｅＮＢの場合、
【数２２】
2020022197.tif 000032
【０２４４】
ＳｅＮＢの場合、
【数２３】
2020022197.tif 000033
【０２４５】
ＭｅＮＢに送信される場合
【数２４】
2020022197.tif 000034
【０２４６】
ＳｅＮＢに送信される場合
【数２５】
2020022197.tif 000035
【０２４７】
第２の優先順位に送信されるＣＨ２
【０２４８】
ＭｅＮＢの場合、
【数２６】
2020022197.tif 000036
【０２４９】
ＳｅＮＢの場合、
【数２７】
2020022197.tif 000037
【０２５０】
送信がＭｅＮＢに対するものの場合、
【数２８】
2020022197.tif 000038
【０２５１】
送信がＳｅＮＢに対するものの場合、
【数２９】
2020022197.tif 000039
【０２５２】
ｍ番目の優先順位に送信されるＣＨｍ
【０２５３】
ＭｅＮＢの場合、
【数３０】
2020022197.tif 000040
【０２５４】
ＳｅＮＢの場合、
【数３１】
2020022197.tif 000041
【０２５５】
送信がＭｅＮＢに対するものの場合、
【数３２】
2020022197.tif 000042
【０２５６】
送信がＳｅＮＢに対するものの場合、
【数３３】
2020022197.tif 000043
【０２５７】
チャネルに全ての電力が割り当てられた後、各セルグループに対する電力の総和は、各セルグループに送信されるチャネルの全ての電力を合算することによって算出されることができる。例えば、ＭＣＧにＣＨ１、ＣＨ３、ＣＨ５が送信される場合、
【数３４】
2020022197.tif 000044
の総和は、ＭＣＧに割り当てられる電力のために使われる。
【０２５８】
優先順位を管理する立場で、各セルグループに一つ以上のＰＵＳＣＨが存在する場合、一つのＰＵＳＣＨに対する電力は、各セルグループ内の全てのＰＵＳＣＨ送信の和によって設定される。ここでのＰＵＳＣＨは、ＵＣＩを含まない。その代案として、各セルグループ内に一つ以上のＰＵＳＣＨが存在する場合、各ＰＵＳＣＨに対して設定されたパワーを使用するように処理されることができる。この場合、高い優先順位を有する一部のＰＵＳＣＨに対する電力は、調整されないが、それに対して、低い優先順位を有する一部のＰＵＳＣＨは、送信ドロップされたり電力スケーリングされたりすることができる。ＭＣＧへ向かうＰＵＳＣＨは、ＳＣＧへ向かうＰＵＳＣＨに比べて高い優先順位を有するということができる。他の方法として、ＰＵＳＣＨ（ＵＣＩを含まない）に対する電力設定のための優先順位は、（i）セルインデックス、（ii）各セルグループに対するＰＵＳＣＨの個数、（iii）全体ペイロードサイズに基づいて決定されることができる。ＭＣＧに対するＰＵＳＣＨ１＞ＳＣＧに対するＰＵＳＣＨ１＞ＭＣＧに対するＰＵＳＣＨ２＞ＳＣＧに対するＰＵＳＣＨ２＞、．．などの優先順位が決定されることができる。電力が割り当てられると、既存Ｒｅｌ−１１による電力スケーリングが各セルグループ内のセルに対して実行されることができる。したがって、電力割当が完了すると、各セルグループ内での電力スケーリングが実行されることができる。
【０２５９】
他の例としては、ＰＵＣＣＨ、ＨＡＲＱ−ＡＣＫを含むＰＵＳＣＨの電力が決められると、残りの電力を加重値によって全てのＰＵＳＣＨに対して等しく分配することを考慮することができる。しかし、セルグループ別に最小電力が設定されている場合、最小電力を保障するために、残った残余電力にのみ適用することもできる。
【０２６０】
一方、例えば、優先順位がＰＵＣＣＨ＝ＭＣＧに対するＨＡＲＱ−ＡＣＫを含むＰＵＳＣＨ＞ＰＵＣＣＨ＝ＳＣＧに対するＨＡＲＱ−ＡＣＫを含むＰＵＳＣＨ＞ＭＣＧに対するＰＵＳＣＨ＞ＳＣＧに対するＰＵＳＣＨとする時、電力は、下記のように決定される。
【０２６１】
ＨＡＲＱ−ＡＣＫを含むＰＵＣＣＨまたはＭＣＧに対するＨＡＲＱ−ＡＣＫを含むＰＵＳＣＨに対する電力は、以下のように決定されることができる。
【数３５】
2020022197.tif 000045
【０２６２】
ここで、ＰreservedはＣＨ１に対して計算され、
【数３６】
2020022197.tif 000046
は前記のように計算される。
【０２６３】
もし、ＡＲＱ−ＡＣＫを含むＰＵＣＣＨまたはＨＡＲＱ−ＡＣＫを含むＰＵＳＣＨがＭＣＧに送信される場合、ＳＣＧに対するＨＡＲＱ−ＡＣＫを含むＰＵＣＣＨまたはＨＡＲＱ−ＡＣＫを含むＰＵＳＣＨに対する電力は、ＣＨ２に対して同じである。そうでない場合、ＭＣＧに対するＨＡＲＱ−ＡＣＫを含むＰＵＣＣＨ（または、ＨＡＲＱ−ＡＣＫを含むＰＵＳＣＨ）の電力は０である。
【数３７】
2020022197.tif 000047
【０２６４】
ＭＣＧに対するＰＵＳＣＨは、以下の通りである。
【数３８】
2020022197.tif 000048
【０２６５】
ＳＣＧに対する、ＰＵＳＣＨは、以下の通りである。
【数３９】
2020022197.tif 000049
【０２６６】
Ｐreservedは、各チャネル別に電力を割り当てる時に更新される。これは割り当てられたパワーで割り当てられたパワーを引くことを基本動作とする。したがって、追加に割り当てることができる程度を意味するということができる。
【０２６７】
再び整理すると、前記のオプションは、下記の二つの形態に整理されることができる。
【０２６８】
ケース１：
セルグループ別に全体要求された電力がＰ＿ｘｅＮＢを超過しない場合、電力を割り当てる。
【０２６９】
セルグループ別に全体要求された電力がＰ＿ｘｅＮＢを超過する場合、
【０２７０】
残った電力、即ち、Ｐ＿ＣＭＡＸ  Ｐ＿ＳｅＮＢ−Ｐ＿ＭｅＮＢに対して、ＵＣＩタイプに基づいた優先順位規則をセルグループに適用し、それによって、残った電力を割り当てる。
【０２７１】
各セルグループに対しては、既存Ｒｅｌ−１１による優先順位規則を適用し、各セルグループ別ＵＥ全体電力がＰ＿ｘｅＮＢにより割り当てられた電力の総和が超えないようにする。
【０２７２】
ケース２：
ＰＣｅｌｌへのＰＲＡＣＨは、要求された電力で送信される。
【０２７３】
電力が制限された状況でＰＣｅｌｌへのＰＲＡＣＨと衝突する場合、ＳｃｅｌｌへのＰＲＡＣＨは送信がドロップされる。
【０２７４】
そうでない場合、ＳｃｅｌｌへのＰＲＡＣＨは、要求された電力が送信される。
【０２７５】
セルグループｘに対するＰＵＣＣＨの送信電力＝ｍｉｎ｛ＰPUCCH、Ｐ＿ＣＭＡＸ−Ｐ＿ａｌｌｏｃ＿ｘｅＮＢ｝
【０２７６】
ここで、Ｐ＿ａｌｌｏｃ＿ｘｅＮＢは、優先順位規則によってｘｅＮＢに割り当てられた電力と、ｍｉｎ｛Ｐ＿ｘｅＮＢ、ｔｏｔａｌ  ｒｅｑｕｅｓｔｅｄ電力ｏｎ ｘＣＧ  ｂｙ  ＴＰＣ｝の総和である。
【０２７７】
セルグループｘに対するＵＣＩを含むＰＵＳＣＨの送信電力＝ｍｉｎ｛ＰPUSCH、Ｐ＿ＣＭＡＸ−Ｐ＿ａｌｌｏｃ＿ｘｅＮＢ−ＰPUCCH｝
【０２７８】
セルグループｘに対するＵＣＩを含まないＰＵＳＣＨの送信電力＝Ｐ＿ＣＭＡＸ  Ｐ＿ａｌｌｏｃ＿ｘｅＮＢ−ＰPUCCH−ＰPUSCH w/UCI｝＝ｓｕｍ｛ｗ（ｉ）＊ＰPUSCH｝
【０２７９】
ＵＥ送信電力と関連したパラメータは、線形スケールである。
【０２８０】
一方、ＳＲＳの場合にはＳＲＳが送信されるセルグループに割り当てられたまたは予約電力がある場合にはＰ＿ＣＭＡＸを代えて該当割り当てられたまたは予約電力を利用し、既存Ｒｅｌ−１１による規則を適用することができる。ここでの割り当てられた電力または予約電力は、（i）該当セルグループに対して設定された最小電力（例えば、Ｐ＿ＭｅＮＢまたはＰ＿ＳｅＮＢ）、または（ii）該当セルグループに対して設定された最小電力と残余電力（Ｐ＿ＭｅＮＢとＰ＿ＳｅＮＢを除いて該当ＳＲＳより高い優先順位の他のチャネルが使用した電力の総和）の和、または（iii）Ｐ＿ＣＭＡＸで該当ＳＲＳより高い優先順位の他のチャネルが使用した電力の総和の差で設定されることができる。より具体的に、セルグループ内に（i）ＳＲＳのみ存在する場合や（ii）一つのＳＲＳのみ存在する場合や（iii）周期的なＳＲＳのみ存在する場合や（iv）非周期的なＳＲＳのみ存在する場合など、特定状況にのみＳＲＳを送信することを考慮することができる。この場合、ＳＲＳは、電力スケーリングされることができる。
【０２８１】
＜本明細書の第３の開示＞
本明細書の第３の開示は、ＭＣＧとＳＣＧとの間に時間同期が合わない状況での電力制御に対する解決方案を提示する。
【０２８２】
二重接続状況で、二つのｅＮｏｄｅＢ間のサブフレームの境界が互いにタイミングが合わない状況を仮定することができる。
【０２８３】
図１１ａ乃至図１１ｅは、ｅＮｏｄｅＢ間にサブフレーム同期が合わない状況で電力制御に対する一例を示す。
【０２８４】
図示された例示を参照すると、第１のｅＮｏｄｅＢのサブフレームｉが第２のｅＮｏｄｅＢのサブフレームｋとサブフレームｋ＋１に重なっている形態を考慮することができる。この場合、重複領域を複数の部分に分けて電力制御及び電力スケーリングを実行することを考慮することができる。一例として、Ｐｃｍａｘ、Ｐｃｍａｘ、ｃを重複部分別に（以下、サブフレーム（ｉ、ｋ）とサブフレーム（ｉ、ｋ＋１）に対して設定）設定することもでき、電力スケーリング時にも各重複部分別に前述した方式のように計算した後、各サブフレーム当たり最終電力は、該当サブフレームに対応される重複部分に対する電力の最小値に設定できる。一例として、第１のｅＮｏｄｅＢのサブフレームｉに対する電力を計算時に第１のｅＮｏｄｅＢサブフレームｉと重なる第２のｅＮｏｄｅＢのサブフレームｋに対して電力スケーリングによる電力（ｉ、ｋ）を設定し、第２のｅＮｏｄｅＢのサブフレームｋ＋１に対して電力スケーリングによる電力（ｉ、ｋ＋１）を計算した以後、第１のｅＮｏｄｅＢのサブフレームｉに対する電力は、電力（ｉ、ｋ）と電力（ｉ、ｋ＋１）の最小値に設定できる。前記した本明細書の第２の開示を一例として、ＣＨ１がＭＣＧに対応され、ＣＨ２がＳＣＧに対応されるとする時、以下の数式にＣＨ２の電力を設定することを考慮することができる。
【数４０】
2020022197.tif 000050
【０２８５】
前記の説明において、各ｅＮｏｄｅＢで該当アップリンクチャネルに対する電力を設定時に他のｅＮｏｄｅＢに対するＴＰＣ命令などを取得するために（Ｅ）ＰＤＣＣＨなどを検出する必要がある。場合によっては、処理時間不足により他のｅＮｏｄｅＢに対する電力情報が完璧でなく、この場合には言及した重複部分を全て考慮した優先順位規則適用が非効率的である。これを解決するためには、ネットワークが上位階層を介してｌｏｏｋ−ａｈｅａｄをするかどうかを決定することができる。
【０２８６】
処理時間不足などの理由で、ＰＵＣＣＨ／ＰＵＳＣＨに対して他のｅＮｏｄｅＢの電力設定情報を活用することができない場合でも（即ち、ｌｏｏｋ−ａｈｅａｄが非活性化される）、例外的にＰＲＡＣＨ及び／またはＳＲＳに対しては他のｅＮｏｄｅＢに対する電力設定情報を活用するように設定できる。一例として、ＰＲＡＣＨの場合にはＵＥ端であらかじめ送信可否を設定する環境を考慮することもでき、ＰＤＣＣＨ命令によるＰＲＡＣＨ送信の場合にはＰＤＣＣＨ命令が受信された時点から６個のサブフレームを含んで以後から送信されることができるため、処理時間が十分である。また、ＳＲＳが先行送信され、これより優先順位が高いチャネルが他のｅＮｏｄｅＢで送信される場合にも、ＳＲＳは、サブフレームで最後のＯＦＤＭシンボルでのみ送信されるため、処理時間が十分であると解釈できる。
【０２８７】
または、ＳＲＳ送信に対して互いに異なるセルグループ間に電力制御を実行する時に先行送信（ｅａｒｌｉｅｒ  ｔｒａｎｓｍｉｓｓｉｏｎ）に対応されるセルグループに対して高い優先順位をおくとする時、ＳＲＳは、最後のＯＦＤＭシンボルでのみ送信されるため、ＰＵＣＣＨ／ＰＵＳＣＨの場合と異なるように設定することを考慮することができる。下記は、より具体的な例である。
【０２８８】
第１の例示として、ＳＲＳが送信されるサブフレームを基準にして先行送信されたチャネルに高い優先順位を設定する。一例として、ＳＲＳが含まれているサブフレームが他のセルグループで送信されたチャネルが含まれているサブフレームより先行される場合に、ＳＲＳに対する優先順位を高く設定し、電力を優先的に割り当てることができる。チャネルは、ＳＲＳを除外することができ、この場合にＳＲＳ間にはセルグループが異なる場合にも優先順位が同じであると仮定することができる。また、ＰＲＡＣＨの場合にも除いてＰＲＡＣＨに常にＳＲＳより高い優先順位をおくことを考慮することもできる。ＰＲＡＣＨは、ＰＤＣＣＨ命令により送信されると限定することもできる。その理由は、電力制御を実行するにあたって、ＳＲＳ電力設定をＰＵＣＣＨ／ＰＵＳＣＨのような他のチャネルと同じ時点で実行する場合に効果的であるとみることもできる。
【０２８９】
第２の例示として、ＳＲＳが実際送信される時点（ＯＦＤＭシンボル単位等）を基準にして先行送信されたチャネルに高い優先順位を設定する。一例として、ＳＲＳが含まれているサブフレームがＰＵＣＣＨ／ＰＵＳＣＨ／ＰＲＡＣＨなどが含まれている他のセルグループのサブフレームより先行する場合でも、実際ＳＲＳが送信される最後のＯＦＤＭシンボルが始まる位置が他のセルグループのＰＵＣＣＨ／ＰＵＳＣＨ／ＰＲＡＣＨが送信される時点より遅い場合には、他のセルグループで送信されるＰＵＣＣＨ／ＰＵＳＣＨ／ＰＲＡＣＨなどが先行送信されるチャネルと認知して高い優先順位を設定する。同様に、実際送信時点でもＳＲＳが先行送信される場合には、他のセルグループのチャネルより高い優先順位に設定されることを考慮することができる。チャネルは、ＳＲＳを除外することができ、この場合にＳＲＳ間には、セルグループが異なる場合にも優先順位が同じであると仮定することができる。また、ＰＲＡＣＨの場合にも除いてＰＲＡＣＨに常にＳＲＳより高い優先順位をおくことを考慮することもできる。ＰＲＡＣＨは、ＰＤＣＣＨ命令により送信されると限定することもできる。本方式は、ＳＲＳに対する電力設定をＰＵＣＣＨ／ＰＵＳＣＨと独立的な時点で実行される場合に効果的であるとみることもできる。
【０２９０】
他方、ＭＣＧとＳＣＧで送信されたＰＲＡＣＨが一部重なる場合、一例として、ＳＣＧに送信される３個のサブフレーム長さのＰＲＡＣＨの時間的に後行位置にＭＣＧに送信されるＰＲＡＣＨが衝突する場合やＳＲＳ送信時に具現によって処理時間が足りない場合が発生でき、この場合にも依然としてＭＣＧまたはＰＣｅｌｌに送信されるＰＲＡＣＨに電力を優先的に割り当て可能でなければならなく、ＳＲＳの場合には後の時間に重なる優先順位が高い他のセルグループのチャネルの電力を保障することができるように設定されなければならない。
【０２９１】
一例として、ＰＲＡＣＨの場合には、全体または一部のＰＲＡＣＨリソース（ＰＲＡＣＨが送信されることができるサブフレーム）に対して、他のｅＮｏｄｅＢのＵＬ送信電力を制限する。該当電力は、該当セルグループの最小ＵＥ送信電力に設定されることもでき、Ｐ＿ＣＭＡＸ−最小ＵＥ送信電力に設定されることもできる。一例として、ＳＲＳの場合には、ＳＲＳの電力を全体または一部のＳＲＳリソース（ＳＲＳが送信されることができるＳＦ）に対して該当セルグループの最小ＵＥ送信電力に設定することを考慮することができる。前記において、一部サブフレームリソースを使用する場合、該当情報は、あらかじめ指定された値であり、またはネットワークが上位階層信号を介して設定した値である。
【０２９２】
＜本明細書の第４の開示＞
本明細書の第４の開示は、二重接続状況で、ＵＥがＵＣＩをＰＵＳＣＨ上にピギーバック（ｐｉｇｇｙｂａｃｋ）する方案に対して説明する。
【０２９３】
二重接続状況では、各々異なるセルグループに属するＰＵＣＣＨとＵＩＣを含むＰＵＳＣＨとの間に衝突が発生でき、状況によっては電力スケーリングが要求されることができる。一例として、ＰＵＳＣＨに対して電力スケーリングすることを考慮した時、ＰＵＳＣＨに含まれているＵＣＩに対する送信信頼度は低くなることができる。その結果、該当ＵＣＩを受けたｅＮｏｄｅＢでの適したスケジューリングを実行することができなくて、ユーザが経験するパケット性能が劣化されることができる。既存３ＧＰＰ  ＬＴＥ  Ｒｅｌ−１２基準に、ＵＣＩは、ＰＣｅｌｌへのＰＵＳＣＨ送信がある場合には、ＰＣｅｌｌへのＰＵＳＣＨ上にピギーバックされ、ＰＣｅｌｌへのＰＵＳＣＨがない場合には、ＰＵＳＣＨが送信されることができるＳＣｅｌｌのうち最も低いセルインデックスを有するセルのＰＵＳＣＨ上にピギーバックされる。次は、電力−制限ＵＥである場合または上位階層シグナルを介してＵＣＩピギーバック動作が設定された場合、ＵＣＩをピギーバックするＰＵＳＣＨを選択する方法に対する具体的な例であり、各ＵＣＩ種類別に異なるように設定されることもできる。
【０２９４】
第１の例示として、セルインデックスを基準にして、ＵＥは、最も低いセルインデックスを有するセルのＰＵＳＣＨを選択する。この時も、ＰＣｅｌｌ（または、ＰＳＣｅｌｌ）のＰＵＳＣＨが存在する場合、ＵＥは、ＰＣｅｌｌ（または、ＰＳＣｅｌｌ）のＰＵＳＣＨを選択する。
【０２９５】
第２の例示として、ＵＥは、該当ＵＣＩに対するコーディングされたビット（Ｃｏｄｅｄ  ｂｉｔｓ）の個数が最も大きいセルに対応されるＰＵＳＣＨを選択する。または、該当ＰＵＳＣＨの初期送信時に割り当てられた副搬送波個数、ＯＦＤＭシンボル個数、ＵＬ−ＳＣＨに対するトランスポートブロック大きさ、ＰＵＳＣＨで使用する変調次数などを基準にしてＵＣＩをピギーバックするＰＵＳＣＨが選択されることもできる。
【０２９６】
第３の例示として、ＵＥは、ＰＵＳＣＨに対する電力が最も多く割り当てられたＰＵＳＣＨを選択する。
【０２９７】
第４の例示として、ＵＥは、ＵＣＩに対する単位ビット当たり電力が最も多く割り当てられたＰＵＳＣＨを選択する。この場合、ＰＵＳＣＨに対する電力と該当ＵＣＩに対するコーディングされた変調シンボルの個数、変調次数などに基づいてＰＵＳＣＨを選択することもできる。
【０２９８】
以上、説明した本発明の実施例は、多様な手段を介して具現されることができる。例えば、本発明の実施例は、ハードウェア、ファームウエア（ｆｉｒｍｗａｒｅ）、ソフトウェアまたはそれらの結合などにより具現されることができる。具体的には図面を参照して説明する。
【０２９９】
図１２は、本明細書の開示が具現される無線通信システムを示すブロック図である。
【０３００】
基地局２００は、プロセッサ（ｐｒｏｃｅｓｓｏｒ）２０１、メモリ（ｍｅｍｏｒｙ）２０２及びＲＦ部（ＲＦ（ｒａｄｉｏ周波数）ｕｎｉｔ）２０３を含む。メモリ２０２は、プロセッサ２０１と連結され、プロセッサ２０１を駆動するための多様な情報を格納する。ＲＦ部２０３は、プロセッサ２０１と連結され、無線信号を送信及び／または受信する。プロセッサ２０１は、提案された機能、過程及び／または方法を具現する。前述した実施例において、基地局の動作は、プロセッサ２０１により具現されることができる。
【０３０１】
ＵＥ１００は、プロセッサ１０１、メモリ１０２及びＲＦ部１０３を含む。メモリ１０２は、プロセッサ１０１と連結され、プロセッサ１０１を駆動するための多様な情報を格納する。ＲＦ部１０３は、プロセッサ１０１と連結され、無線信号を送信及び／または受信する。プロセッサ１０１は、提案された機能、過程及び／または方法を具現する。
【０３０２】
プロセッサは、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／またはデータ処理装置を含むことができる。メモリは、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を含むことができる。ＲＦ部は、無線信号を処理するためのベースバンド回路を含むことができる。実施例がソフトウェアで具現される時、前述した技法は、前述した機能を遂行するモジュール（過程、機能など）で具現されることができる。モジュールは、メモリに格納され、プロセッサにより実行されることができる。メモリは、プロセッサの内部または外部にあり、よく知られた多様な手段でプロセッサと連結されることができる。
【０３０３】
前述した例示的なシステムにおいて、方法は、一連のステップまたはブロックで流れ図に基づいて説明されているが、本発明は、ステップの順序に限定されるものではなく、あるステップは、前述と異なるステップと、異なる順序にまたは同時に発生できる。また、当業者であれば、流れ図に示すステップが排他的でなく、他のステップが含まれ、または流れ図の一つまたはそれ以上のステップが本発明の範囲に影響を及ぼさずに削除可能であることを理解することができる。
【図１】
2020022197.tif 000051
【図２】
2020022197.tif 000052
【図３】
2020022197.tif 000053
【図４】
2020022197.tif 000054
【図５】
2020022197.tif 000055
【図６ａ】
2020022197.tif 000056
【図６ｂ】
2020022197.tif 000057
【図６ｃ】
2020022197.tif 000058
【図７】
2020022197.tif 000059
【図８】
2020022197.tif 000060
【図９ａ】
2020022197.tif 000061
【図９ｂ】
2020022197.tif 000062
【図１０】
2020022197.tif 000063
【図１１ａ】
2020022197.tif 000064
【図１１ｂ】
2020022197.tif 000065
【図１１ｃ】
2020022197.tif 000066
【図１１ｄ】
2020022197.tif 000067
【図１１ｅ】
2020022197.tif 000068
【図１２】
2020022197.tif 000069
【手続補正書】
【提出日】令和1年10月29日(2019.10.29)
【手続補正１】
【補正対象書類名】特許請求の範囲
【補正対象項目名】全文
【補正方法】変更
【補正の内容】
【特許請求の範囲】
【請求項１】
ユーザ装置（ＵＥ）により実行される電力スケーリングを行うための方法であって、
マスタセルグループ（ＭＣＧ）及びセカンダリセルグループ（ＳＣＧ）と二重接続が設定された前記ユーザ装置（ＵＥ）が、前記ＭＣＧに向けた第１のサブフレーム内の第１の送信に対する第１の電力を決定するステップと、
前記ＳＣＧに向けた第２の送信に対する第２の電力を決定するステップと、
前記ＭＣＧ及び前記ＳＣＧに関連する総電力が最大電力を超過することに基づいて、前記ＳＣＧに向けた第２の送信に対する前記第２の電力をスケーリングダウンするステップと、
を含み、
前記第１のサブフレーム内の前記ＭＣＧに向けた第１の送信が、前記ＳＣＧに向けた第２の送信と時間内で部分的に重複することに基づいて、前記スケーリングダウンが実行される、方法。
【請求項２】
前記ＭＣＧに向けた第１の送信に対する前記第１の電力は、前記最大電力が超過されることに基づいて、スケーリングダウンされない、請求項１に記載の方法。
【請求項３】
前記第１の送信は、第１のＰＵＣＣＨ及び第１のＰＵＳＣＨの少なくとの１つを送信することを含む、請求項１に記載の方法。
【請求項４】
前記第１のＰＵＣＣＨ及び前記第１のＰＵＳＣＨの少なくとの１つは、ＨＡＲＱ  ＡＣＫ／ＮＡＣＫ信号及びスケジューリング要求（ＳＲ）の少なくとの１つを含む、請求項３に記載の方法。
【請求項５】
前記第２の送信は、第２のＰＵＣＣＨ及び第２のＰＵＳＣＨの少なくとの１つを送信することを含む、請求項１に記載の方法。
【請求項６】
前記第２のＰＵＣＣＨ及び前記第２のＰＵＳＣＨの少なくとの１つは、ＨＡＲＱ  ＡＣＫ／ＮＡＣＫ信号及びスケジューリング要求（ＳＲ）を含む、請求項５に記載の方法。
【請求項７】
前記第１の電力及び前記第２の電力の少なくとの１つは、前記ＭＣＧ及び前記ＳＣＧの間で共有される、請求項１に記載の方法。
【請求項８】
電力スケーリングを行うためのユーザ装置（ＵＥ）であって、
マスタセルグループ（ＭＣＧ）及びセカンダリセルグループ（ＳＣＧ）と二重接続が設定された受信部と、
プロセッサと、を含み、
前記プロセッサは、
前記ＭＣＧに向けた第１のサブフレーム内の第１の送信に対する第１の電力を決定し、
前記ＳＣＧに向けた第２の送信に対する第２の電力を決定するよう構成され、
前記プロセッサは、（ｉ）前記ＭＣＧ及び前記ＳＣＧに関連する総電力が最大電力を超過することに基づいて、及び（ｉｉ）前記第１のサブフレーム内の前記ＭＣＧに向けた第１の送信が、前記ＳＣＧに向けた第２の送信と時間内で部分的に重複することに基づいて、前記ＳＣＧに向けた第２の送信に対する前記第２の電力をスケーリングダウンするよう更に構成される、ユーザ装置。
【請求項９】
前記ＭＣＧに向けた第１の送信に対する前記第１の電力は、前記最大電力が超過されることに基づいて、スケーリングダウンされない、請求項８に記載のユーザ装置。
【請求項１０】
前記第１の送信は、第１のＰＵＣＣＨ及び第１のＰＵＳＣＨの少なくとの１つを送信することを含む、請求項８に記載のユーザ装置。
【請求項１１】
前記第１のＰＵＣＣＨ及び前記第１のＰＵＳＣＨの少なくとの１つは、ＨＡＲＱ  ＡＣＫ／ＮＡＣＫ信号及びスケジューリング要求（ＳＲ）の少なくとの１つを含む、請求項１０に記載のユーザ装置。
【請求項１２】
前記第２の送信は、第２のＰＵＣＣＨ及び第２のＰＵＳＣＨの少なくとの１つを送信することを含む、請求項８に記載のユーザ装置。
【請求項１３】
前記第２のＰＵＣＣＨ及び前記第２のＰＵＳＣＨの少なくとの１つは、ＨＡＲＱ  ＡＣＫ／ＮＡＣＫ信号及びスケジューリング要求（ＳＲ）を含む、請求項１２に記載のユーザ装置。
【請求項１４】
前記第１の電力及び前記第２の電力の少なくとの１つは、前記ＭＣＧ及び前記ＳＣＧの間で共有される、請求項８に記載のユーザ装置。